(57)【要約】【課題】地域毎のごみ収集カレンダーの作成を簡単に行うことができるごみ収集カレンダー作成装置、ごみ収集カレンダー作成ソフトウエア、ごみ収集カレンダー情報作成システム及び情報端末装置を提供すること。【解決手段】ごみ種別、地域、地域のグループの登録を行った後、登録済みの地域、グループの中から任意の地域、グループをユーザに選択させ、その地域、グループのごみ種別ごとのごみ収集日を、月の週、曜日、日単位でユーザに指定させ、その指定内容を記憶部４のデータ９に登録する。ごみ収集カレンダーを作成するときは、年月、地域名、グループ名などがユーザにより指定され、その指定された条件に従って記憶部４のデータ９の登録データを用いて、その地域、グループのごみ収集カレンダーが作成される。【選択図】  図２
2006178940.tif 000002
【特許請求の範囲】
【請求項１】
ごみ種別及びごみ収集地域を登録する手段と、
前記登録されたごみ種別、ごみ収集可能な月の週及び曜日の各項目を選択可能に表示する手段と、
前記表示された各項目からごみ種別、ごみ収集可能な月の週及び曜日を選択する手段と、
前記選択されたごみ種別、ごみ収集可能な月の週及び曜日を表示すると共に、前記登録されたごみ収集地域を選択可能に表示する手段と、
前記表示されたごみ収集地域から所望のごみ収集地域を選択する手段と、
前記選択されたごみ種別、ごみ収集可能な月の週、曜日及びごみ収集地域に基づき、ごみ収集カレンダーを作成する手段と
を具備することを特徴とするごみ収集カレンダー作成装置。
【請求項２】
請求項１に記載のごみ収集カレンダー作成装置であって、
複数の前記ごみ収集地域から１つのグループを作成する手段を有し、
前記作成されたグループを前記ごみ収集地域と同様に扱うことを可能にしたことを特徴とするごみ収集カレンダー作成装置。
【請求項３】
請求項１又は請求項２に記載のごみ収集カレンダー作成装置であって、
前記作成されたごみ収集カレンダーに対して日単位でごみ種別及びごみ収集地域の新規入力又は編集を可能としたことを特徴とするごみ収集カレンダー作成装置。
【請求項４】
請求項１から請求項３のうちいずれか１項に記載のごみ収集カレンダー作成装置であって、
前記作成された各地域のごみ収集カレンダーのごみ収集日の割り当てが、ごみ収集能力の観点から妥当性であるか否かを検証する手段を具備することを特徴とするごみ収集カレンダー作成装置。
【請求項５】
コンピュータシステムに対して、
ごみ種別及びごみ収集地域の入力があったときにこれらを登録させ、
前記登録されたごみ種別、ごみ収集可能な月の週及び曜日の各項目を選択可能に表示させ、
前記表示された各項目からごみ種別、ごみ収集可能な月の週及び曜日が選択されたときに、前記選択されたごみ種別、ごみ収集可能な月の週及び曜日を表示すると共に、前記登録されたごみ収集地域を選択可能に表示させ、
前記表示されたごみ収集地域から所望のごみ収集地域が選択されたときに、前記選択されたごみ種別、ごみ収集可能な月の週、曜日及びごみ収集地域に基づき、ごみ収集カレンダーを作成させる
ことを特徴とするごみ収集カレンダー作成ソフトウエア。
【請求項６】
請求項５に記載のごみ収集カレンダー作成ソフトウエアであって、
前記コンピュータシステムに対して、
複数の前記ごみ収集地域からなる１つのグループを作成させ、
前記作成されたグループを前記ごみ収集地域と同様に扱うことを可能にしたことを特徴とするごみ収集カレンダー作成ソフトウエア。
【請求項７】
請求項５又は請求項６に記載のごみ収集カレンダー作成ソフトウエアであって、
前記コンピュータシステムに対して、
前記作成されたごみ収集カレンダーに対して日単位でごみ種別及びごみ収集地域の新規入力又は編集を可能としたことを特徴とするごみ収集カレンダーソフトウエア。
【請求項８】
ごみ収集カレンダー情報を作成するためにサーバ装置と、前記サーバ装置にネットワークを介して接続された情報端末装置とを備えたごみ収集カレンダー情報作成システムにおいて、
前記サーバ装置は、
前記情報端末装置から送信された前記ごみ収集カレンダー作成用のごみ種別情報及びごみ収集地域情報を受信する受信手段と、
予め前記ごみ収集カレンダー作成用の基礎情報を記憶すると共に、前記受信された前記ごみ種別情報及びごみ収集地域情報を記憶する記憶手段と、
前記記憶された前記基礎情報及び前記ごみ種別情報に基づき、前記ごみ種別情報、ごみ収集可能な月の週情報及び曜日情報の各情報を夫々対応付けて選択可能な第１の編集情報に編集する編集手段と、
前記第１の編集情報を、前記情報端末装置に送信する送信手段と、
前記第１の編集情報の内の、前記情報端末装置により送信された第１の選択情報を受信する受信手段と、
前記第１の選択情報と、前記記憶されたごみ収集地域情報を前記編集手段により前記第１の選択情報に対応付けて選択可能とされた第２の編集情報とを前記情報端末装置に送信する送信手段と、
前記第２の編集情報の内の、前記第１の選択情報に対応付けて前記情報端末装置により送信された第２の選択情報を受信する受信手段と、
前記受信された前記第２の選択情報を前記第１の選択情報に対応付けて記憶する記憶手段とを有し、
前記情報端末装置は、
前記サーバ装置へ前記ごみ種別情報及びごみ収集地域情報を送信する送信手段と、
前記サーバ装置から送信された前記第１の編集情報を受信する受信手段と、
前記受信された前記第１の編集情報を出力する出力手段と、
前記第１の選択情報を前記サーバ装置へ送信する送信手段と、
前記サーバ装置から送信された前記第１の選択情報と、前記第２の編集情報とを受信する受信手段と、
前記受信した第１の選択情報と、前記第２の編集情報とを出力する出力手段と、
前記第２の選択情報を前記第１の選択情報に対応付けて前記サーバ装置へ送信する送信手段とを有すること特徴とするごみ収集カレンダー情報作成システム。
【請求項９】
請求項８に記載のごみ収集カレンダー情報作成システムにおいて、
前記サーバ装置に前記ネットワークを介して接続された前記情報端末装置と異なる他の情報端末装置を更に備え、
前記サーバ装置は、前記ごみ収集カレンダー情報を前記他の情報端末装置の要求に応じ、前記第１及び第２の選択情報に基づき年表示、月表示及び週表示の少なくともいずれかの前記ごみ収集カレンダー情報として編集する編集手段と、その年表示、月表示及び週表示の少なくともいずれかの前記ごみ収集カレンダー情報を前記他の情報端末装置に送信する送信手段とを更に有することを特徴とするごみ収集カレンダー情報作成システム。
【請求項１０】
ごみ収集カレンダー情報を作成するためにサーバ装置とネットワークを介して接続された情報端末装置において、
前記ごみ収集カレンダー作成用のごみ種別情報及びごみ収集地域情報を前記サーバ装置に記憶させるために前記サーバ装置へ送信する送信手段と、
前記サーバ装置に予め記憶された前記ごみ収集カレンダー作成用の基礎情報及び前記ごみ種別情報に基づき、前記サーバ装置によって前記ごみ種別情報、ごみ収集可能な月の週情報及び曜日情報の各情報を夫々対応付けて選択可能に編集された第１の編集情報を、前記サーバ装置から受信する受信手段と、
前記受信された前記第１の編集情報を出力する出力手段とを具備し、
前記送信手段は、前記第１の編集情報の内の第１の選択情報を前記サーバ装置へ送信し、
前記受信手段は、前記第１の選択情報と、前記サーバ装置によって前記ごみ収集地域情報を前記第１の選択情報に対応付けて選択可能に編集された第２の編集情報とを前記サーバ装置から受信し、
前記出力手段は、前記受信した第１の選択情報と前記第２の編集情報とを出力し、
前記送信手段は、前記出力された前記第１の選択情報と、前記第２の編集情報の内の第２の選択情報とを前記第１の選択情報に対応付けて前記サーバ装置に記憶させるために前記サーバ装置へ送信することを特徴とする情報端末装置。
【請求項１１】
請求項１０に記載の情報端末装置において、
前記ごみ収集地域情報は、複数のごみ収集地域情報をグループ化したものであることを特徴とする情報端末装置。
【請求項１２】
請求項１０に記載の情報端末装置において、
前記受信手段は、前記サーバ装置に記憶された前記第１及び第２の選択情報のごみ種別情報及びごみ収集地域情報を、前記サーバ装置によって日単位で新規入力、または変更可能なように編集され送信された第３の編集情報を受信し、
前記出力手段は、前記受信した第３の編集情報を出力し、
前記送信手段は、前記第３の編集情報により新規入力、または変更する情報を前記サーバ装置に記憶させるために前記サーバ装置に送信することを特徴とする情報端末装置。
【請求項１３】
請求項１０に記載の情報端末装置において、
前記受信手段は、前記サーバ装置に予め記憶された前記ごみ収集地域ごとの一日の前記ごみ種別の各平均ごみ収集量に基づいて、前記サーバ装置に記憶された前記第１及び第２の選択情報により算出される、同じごみ種が同じ日に収集されることとなる全ごみ収集地域の合計ごみ収集量が、そのごみ種を一日に収集できるごみ収集量より大きいか否かの判断情報を前記サーバ装置から受信し、
前記出力手段は、前記判断情報を出力するものであることを特徴とする情報端末装置。
【請求項１４】
請求項１０に記載の情報端末装置において、
前記基礎情報は、地理情報システムの地図情報を有し、
前記ごみ収集地域情報は、そのごみ収集地域の少なくとも一部のごみが集められるごみステーションの情報を前記地図情報の地図の所定の位置に対応付けた情報であることを特徴とする情報端末装置。
【請求項１５】
請求項１４に記載の情報端末装置において、
前記ごみステーションの情報は、前記ごみステーションごとの個別情報を有することを特徴とする情報端末装置。
【請求項１６】
請求項１５に記載の情報端末装置において、
前記個別情報は、前記ごみステーションの利用者情報を有することを特徴とする情報端末装置。
【請求項１７】
請求項１０に記載の情報端末装置において、
前記基礎情報は、地理情報システムの地図情報を有し、
前記ごみ収集地域情報は、所定の領域をもつ収集地域の情報を前記地図情報の地図の所定の位置に対応付けた情報であることを特徴とする情報端末装置。
【請求項１８】
請求項１７に記載の情報端末装置において、
前記収集地域の情報は、前記収集地域ごとの個別情報を有することを特徴とする情報端末装置。
【発明の詳細な説明】
【技術分野】
【０００１】
本発明は、例えばインターネットを介して閲覧が可能なごみ収集カレンダーを作成するためのごみ収集カレンダー作成装置及びごみ収集カレンダー作成ソフトウエアに関するものである。
【０００２】
また、本発明はごみ収集カレンダー情報作成システム及び情報端末装置に関するものである。
【背景技術】
【０００３】
最近、ごみの分別化が進み、分別ごみの収集日が曜日や日によってかなり異なるようになってきている。以前は、単純に例えば毎週木曜日は粗大ごみであったものが、第２週や第４週の水曜日がペットボトル、月のうち１７日だけが燃やさないごみの収集日であったりするようになってきている。このため、ごみ収集カレンダーなるものが必要になりつつある。
【０００４】
非特許文献１には、分別ごみの日カレンダーを作成するためのソフトウエアが開示されている。このソフトウエアは、HTML形式の画面上で収集日や分別の種類等を指定することで、分別ごみの日カレンダーを作成するものである。  
【非特許文献１】http://www.vector.co.jp/magazine/softnews/031203/n0312035.html
【発明の開示】
【発明が解決しようとする課題】
【０００５】
しかしながら、自治体側から例えばインターネットを介してこのようなカレンダーを提供するようなシステムを構築しようとした場合、地域毎にごみ収集のスケジュールが異なるので、地域毎にこのようなカレンダーを作成する必要があり、非常に手間がかかるという課題がある。
【０００６】
本発明は、かかる課題を解決するためになされたもので、地域毎のごみ収集カレンダーの作成を簡単に行うことができるごみ収集カレンダー作成装置、ごみ収集カレンダー作成ソフトウエア、ごみ収集カレンダー情報作成システム及び情報端末装置を提供することを目的としている。
【課題を解決するための手段】
【０００７】
かかる課題を解決するため、本発明に係るごみ収集カレンダー作成装置は、ごみ種別及びごみ収集地域を登録する手段と、前記登録されたごみ種別、ごみ収集可能な月の週及び曜日の各項目を選択可能に表示する手段と、前記表示された各項目からごみ種別、ごみ収集可能な月の週及び曜日を選択する手段と、前記選択されたごみ種別、ごみ収集可能な月の週及び曜日を表示すると共に、前記登録されたごみ収集地域を選択可能に表示する手段と、前記表示されたごみ収集地域から所望のごみ収集地域を選択する手段と、前記選択されたごみ種別、ごみ収集可能な月の週、曜日及びごみ収集地域に基づき、ごみ収集カレンダーを作成する手段とを具備することを特徴とする。
【０００８】
本発明では、ごみ種別ばかりでなく、ごみ収集地域についても予め登録しておき、作成されたごみ収集カレンダーに対して、登録済みのごみ収集地域を表示し、その中からごみ収集地域を選択させて最終的なごみ収集カレンダーを完成させるようにしているので、地域毎のごみ収集カレンダーの作成を簡単に行うことができる。
【０００９】
本発明の一の形態よれば、上記のごみ収集カレンダー作成装置であって、複数の前記ごみ収集地域からなる１つのグループを作成する手段を有し、前記作成されたグループを前記ごみ収集地域と同様に扱うことを可能にしたことを特徴とする。
【００１０】
ごみ収集のスケジュールは、特に隣接するような地域では同一になることが多い。そこで、本発明では、複数のごみ収集地域からなる１つのグループをごみ収集地域と同様に扱うことを可能にしている。よって、本発明では地域毎のごみ収集カレンダーの作成を更に簡単に行うことができる。
【００１１】
本発明の一の形態によれば、上記のごみ収集カレンダー作成装置であって、前記作成されたごみ収集カレンダーに対して日単位でごみ種別及びごみ収集地域の新規入力又は編集を可能としたことを特徴とする。
【００１２】
これにより、地域毎のカスタマイズが可能である。特に、上記のようにグループ単位でまとめて複数の地域のカレンダーを作成しておき、そこから地域毎にカスタマイズすることで、類似する複数の地域のカレンダーを比較的簡単に作成することができる。
【００１３】
本発明の一の形態によれば、作成された各地域のごみ収集カレンダーのごみ収集日の割り当てが、ごみ収集能力の観点から妥当性であるか否かを検証する手段を具備することを特徴とする。
【００１４】
これにより、ごみ収集計画の修正や最適化を検討することが可能となる。
【００１５】
本発明の別の観点に係るごみ収集カレンダー作成ソフトウエアは、コンピュータシステムに対して、ごみ種別及びごみ収集地域の入力があったときにこれらを登録させ、前記登録されたごみ種別、ごみ収集可能な月の週及び曜日の各項目を選択可能に表示させ、前記表示された各項目からごみ種別、ごみ収集可能な月の週及び曜日が選択されたときに、前記選択されたごみ種別、ごみ収集可能な月の週及び曜日を表示すると共に、前記登録されたごみ収集地域を選択可能に表示させ、前記表示されたゴミ収集地域から所望のごみ収集地域が選択されたときに、前記選択されたごみ種別、ごみ収集可能な月の週、曜日及びごみ収集地域に基づき、ごみ収集カレンダーを作成させることを特徴とする。
【００１６】
本発明の一の形態によれば、前記コンピュータシステムに対して、複数の前記ごみ収集地域からなる１つのグループを作成させ、前記作成されたグループを前記ごみ収集地域と同様に扱うことを可能にしたことを特徴とする。また、別の形態によれば、前記コンピュータシステムに対して、前記作成されたゴミ収集カレンダーに対して日単位でごみ種別及びごみ収集地域の新規入力又は編集を可能としたことを特徴とする。
【００１７】
本発明の他の観点に係るごみ収集カレンダー情報作成システムは、ごみ収集カレンダー情報を作成するためにサーバ装置と、前記サーバ装置にネットワークを介して接続された情報端末装置とを備えたごみ収集カレンダー情報作成システムにおいて、前記サーバ装置は、前記情報端末装置から送信された前記ごみ収集カレンダー作成用のごみ種別情報及びごみ収集地域情報を受信する受信手段と、予め前記ごみ収集カレンダー作成用の基礎情報を記憶すると共に、前記受信された前記ごみ種別情報及びごみ収集地域情報を記憶する記憶手段と、前記記憶された前記基礎情報及び前記ごみ種別情報に基づき、前記ごみ種別情報、ごみ収集可能な月の週情報及び曜日情報の各情報を夫々対応付けて選択可能な第１の編集情報に編集する編集手段と、前記第１の編集情報を、前記情報端末装置に送信する送信手段と、前記第１の編集情報の内の、前記情報端末装置により送信された第１の選択情報を受信する受信手段と、前記第１の選択情報と、前記記憶されたごみ収集地域情報を前記編集手段により前記第１の選択情報に対応付けて選択可能とされた第２の編集情報とを前記情報端末装置に送信する送信手段と、前記第２の編集情報の内の、前記第１の選択情報に対応付けて前記情報端末装置により送信された第２の選択情報を受信する受信手段と、前記受信された前記第２の選択情報を前記第１の選択情報に対応付けて記憶する記憶手段とを有し、前記情報端末装置は、前記サーバ装置へ前記ごみ種別情報及びごみ収集地域情報を送信する送信手段と、前記サーバ装置から送信された前記第１の編集情報を受信する受信手段と、前記受信された前記第１の編集情報を出力する出力手段と、前記第１の選択情報を前記サーバ装置へ送信する送信手段と、前記サーバ装置から送信された前記第１の選択情報と、前記第２の編集情報とを受信する受信手段と、前記受信した第１の選択情報と、前記第２の編集情報とを出力する出力手段と、前記第２の選択情報を前記第１の選択情報に対応付けて前記サーバ装置へ送信する送信手段とを有すること特徴とする。
【００１８】
ここで、「ごみ収集カレンダー情報」とは、ごみ収集カレンダーを作成するための情報を含み、「情報端末装置」とは、パーソナルコンピュータ等であり、例えば当該ごみ収集カレンダー情報を作成するためにサーバ装置にネットワークを介して接続された管理者端末をいう。また、「基礎情報」とは、例えばごみ収集カレンダー作成用の各種画面やごみ収集カレンダーのテンプレート等を含み、「第１の編集情報」とは、例えば週選択チェックボックスや曜日選択チェックボックス等をいう。更に「第１の選択情報」とは、例えば上述した週選択チェックボックスや曜日選択チェックボックスにチェックが入れられた情報等をいい、「第２の編集情報」とは、例えば入力されたごみ種別、ごみ収集カレンダーの開始日から終了日までの年月日、月の週、曜日等の情報と共にディスプレー画面に表示される地区名を選択するための地区選択ボックス等をいう。また、「第２の選択情報」とは、上述の地区選択ボックスにより選択された地区名等や選択結果を示す選択地区名リストボックスに表示される地区名等をいう。
【００１９】
本発明では、サーバ装置に基礎情報やごみ種別情報、ごみ収集地域情報等を記憶させ、当該サーバ装置にネットワークを介して情報端末装置を接続することとしたので、情報端末装置自体は、膨大なデータ等を記憶しておく必要がなくなる。
【００２０】
また、ごみ種別情報と収集可能な月の週情報及曜日情報との各情報を夫々対応付けて選択可能とした第１の編集情報の内で、情報端末装置により送信された情報を第１の選択情報として、その第１の選択情報に対応付けて第２の選択情報をサーバ装置に記憶させることとした。従って、選択されたごみ種別情報、収集可能な月の週情報及曜日情報及びごみ収集地域情報が夫々別々のデータとしてサーバ装置の記憶部に格納されていても、例えば所定のごみ収集地域情報を入力すれば、容易に対応付けられたごみ種別情報等の情報を得ることができる。
【００２１】
本発明の一の形態によれば、前記サーバ装置に前記ネットワークを介して接続された前記情報端末装置と異なる他の情報端末装置を更に備え、前記サーバ装置は、前記ごみ収集カレンダー情報を前記他の情報端末装置の要求に応じ、前記第１及び第２の選択情報に基づき年表示、月表示及び週表示の少なくともいずれかの前記ごみ収集カレンダー情報として編集する編集手段と、その年表示、月表示及び週表示の少なくともいずれかの前記ごみ収集カレンダー情報を前記他の情報端末装置に送信する送信手段とを更に有することを特徴とする。ここで「他の情報端末装置」とは、例えばごみ収集カレンダー画面情報を利用する利用者端末をいう。また、「編集する」とは、例えばサーバ装置のＣＰＵが記憶部に格納されたＷｅｂアプリケーションサーバプログラムにごみ種別名称データ、地区名称データ、ごみ収集日（年月の週・曜日）データ等の中から、利用者端末である他の情報端末装置により送信された表示地区選択情報及び例えば年表示、月表示及び週表示のいずれかの表示形式選択情報に対応するデータを読み出させる。そして、サーバ装置のＣＰＵが、夫々の情報の対応付けにより、他の情報端末装置（例えば利用者端末）に選択された地区の選択された例えば年表示、月表示及び週表示のいずれかのごみ収集カレンダー画面情報をＷｅｂアプリケーションサーバプログラムに合成させることをいう。
【００２２】
これにより、他の情報端末装置（例えば利用者端末）は、ごみ収集カレンダーを年間表示、月表示及び週表示のいずれの表示形式の選択情報もサーバ装置に送信し、当該サーバ装置から選択された表示形式のごみ収集カレンダー画面情報を受信できる。従って、他の情報端末装置（例えば利用者端末）から利用者は、月表示のごみ収集カレンダーのみならず、年間表示のごみ収集カレンダーを出力することができ、先のスケジュール等を立てやすくなるなどの利便性が増加する。また、週表示ごみ収集カレンダーも出力させることができるので、例えば月表示のごみ収集カレンダーでは、とっさに今日がどの週か判らないときも曜日から簡単に今日出すごみ種別を判断できる。例えばお年寄りにも判りやすいごみ収集カレンダーとすることができる。
【００２３】
更に年間表示、月表示及び週表示のごみ収集カレンダー情報を基となる収集可能な月の週情報及び曜日情報から合成でき、年間表示、月表示及び週表示の個別のデータをサーバ装置の記憶部に格納しないようにできる。これにより効率的にごみ収集カレンダー情報を作成できる。
【００２４】
本発明の他の観点に係る情報端末装置は、ごみ収集カレンダー情報を作成するためにサーバ装置とネットワークを介して接続された情報端末装置において、前記ごみ収集カレンダー作成用のごみ種別情報及びごみ収集地域情報を前記サーバ装置に記憶させるために前記サーバ装置へ送信する送信手段と、前記サーバ装置に予め記憶された前記ごみ収集カレンダー作成用の基礎情報及び前記ごみ種別情報に基づき、前記サーバ装置によって前記ごみ種別情報、ごみ収集可能な月の週情報及び曜日情報の各情報を夫々対応付けて選択可能に編集された第１の編集情報を、前記サーバ装置から受信する受信手段と、前記受信された前記第１の編集情報を出力する出力手段とを具備し、前記送信手段は、前記第１の編集情報の内の第１の選択情報を前記サーバ装置へ送信し、前記受信手段は、前記第１の選択情報と、前記サーバ装置によって前記ごみ収集地域情報を前記第１の選択情報に対応付けて選択可能に編集された第２の編集情報とを前記サーバ装置から受信し、前記出力手段は、前記受信した第１の選択情報と前記第２の編集情報とを出力し、前記送信手段は、前記出力された前記第１の選択情報と、前記第２の編集情報の内の第２の選択情報とを前記第１の選択情報に対応付けて前記サーバ装置に記憶させるために前記サーバ装置へ送信することを特徴とする。
【００２５】
本発明では、サーバ装置によってごみ種別情報、ごみ収集可能な月の週情報及び曜日情報の各情報を夫々対応付けて選択可能な第１の編集情報とし、当該第１の編集情報を情報端末装置に出力させることとした。従って、例えば管理者端末のディスプレー画面に第１の編集情報を表示させてその画面上で選択して、夫々関連付けられた第１の選択情報をネットワークによりサーバ装置へ送信することができる。
【００２６】
また、その第１の選択情報に対応付けて第２の選択情報をサーバ装置に記憶させるために当該サーバ装置に送信することとした。従って、選択されたごみ種別情報、収集可能な月の週情報及曜日情報及びごみ収集地域情報が夫々別々のデータとしてサーバ装置の記憶部に格納されていても、例えば所定のごみ収集地域情報を入力すれば、容易に対応付けられたごみ種別情報等の情報を得ることができる。
【００２７】
本発明の一の形態によれば、前記ごみ収集地域情報は、複数のごみ収集地域情報をグループ化したものであることを特徴とする。これにより、例えば同日に同種のごみ種を収集する複数のごみ収集地域情報を一つのグループにまとめて、ごみ収集カレンダー情報作成の作業効率を向上させることができる。
【００２８】
本発明の一の形態によれば、前記受信手段は、前記サーバ装置に記憶された前記第１及び第２の選択情報のごみ種別情報及びごみ収集地域情報を、前記サーバ装置によって日単位で新規入力、または変更可能なように編集され送信された第３の編集情報を受信し、前記出力手段は、前記受信した第３の編集情報を出力し、前記送信手段は、前記第３の編集情報により新規入力、または変更する情報を前記サーバ装置に記憶させるために前記サーバ装置に送信することを特徴とする。ここで、「第３の編集情報」とは、例えば日単位登録画面に出現するごみ出しカレンダー入力画面中のごみ種別選択ボックス等の情報をいい、「新規入力、または変更する情報」とは、例えば上述のごみ種別選択ボックスに入れられたチェック情報等をいうものとする。これにより、細かい日単位でごみ種別情報やごみ収集地域情報の新規登録、変更が可能となり、より地域密着型のごみ収集カレンダーとすることが容易にできるようになる。
【００２９】
本発明の一の形態によれば、前記受信手段は、前記サーバ装置に予め記憶された前記ごみ収集地域ごとの一日の前記ごみ種別の各平均ごみ収集量に基づいて、前記サーバ装置に記憶された前記第１及び第２の選択情報により算出される、同じごみ種が同じ日に収集されることとなる全ごみ収集地域の合計ごみ収集量が、そのごみ種を一日に収集できるごみ収集量より大きいか否かの判断情報を前記サーバ装置から受信し、前記出力手段は、前記判断情報を出力するものであることを特徴とする。ここで、「各平均ごみ収集量」とは、例えば燃やさないごみについて、過去の実績から統計的に求められた各地域の平均的ごみ収集量であり、「合計ごみ収集量」とは、例えば燃やさないごみについて収集すべき全ての地域での合計ごみ収集量である。これにより、ごみ収集計画の修正や最適化を検討することが可能となる。
【００３０】
本発明の一の形態によれば、前記基礎情報は、地理情報システムの地図情報を有し、前記ごみ収集地域情報は、そのごみ収集地域の少なくとも一部のごみが集められるごみステーションの情報を前記地図情報の地図の所定の位置に対応付けた情報であることを特徴とする。ここで、「地理情報システム」とはデジタルデータ化した地図上に、道路や地域名等の情報を蓄積し、これらの情報を管理するシステムであり、一般にＧＩＳ（Geographical Information Systems）といわれている。また、「地図情報」とは例えば道路や地域名等の情報をいい、「対応付けた情報」とは、例えば地図情報の上に位置をキーとしてごみステーションが形成されたレイヤーを設け、それらのレイヤーが組み合わされた情報等をいう。例えば地図上のレイヤーの所定の位置に黒丸でごみステーションが設けられ、組み合わされた情報等をいう。勿論識別できればいいので黒丸に限られるものではない。
【００３１】
これにより、例えばごみ収集地域情報をディスプレー画面上に出力すれば、地図上の道路情報等から容易に所望のごみステーションを探し出すことができ、ごみ収集カレンダー情報の作成のみならず、利用者の便宜もより向上する。
【００３２】
また、行政地域名称では特定できない細かいごみ収集地域情報等も地図上で容易に特定が可能であり、ごみ収集カレンダーの実用性が向上する。更にＧＩＳを利用して様様な情報をごみ収集地域情報に組み合わせることができ、ごみ収集カレンダーの機能をより向上できる。
【００３３】
本発明の一の形態によれば、前記ごみステーションの情報は、前記ごみステーションごとの個別情報を有することを特徴とする。これにより、ごみ収集カレンダー情報を作成するためだけでなく、例えばごみ収集時に役に立つ情報をごみ収集地域情報に含ませることができ、その機能性が増す。例えば収集の順番やごみステーションが特別な場所にあるとか、更にはカラスよけのネットが設けてある等である。
【００３４】
本発明の一の形態によれば、前記個別情報は、前記ごみステーションの利用者情報を有することを特徴とする。これにより、更にごみ収集カレンダー情報の作製を容易にすることができる他、当該情報の機能性をも向上できる。例えば利用者情報として利用者の人数や年齢等の情報をごみステーション情報に含ませれば、そのごみステーションのおおよそのごみ収集量が判断でき、ごみ収集ルートの検討の効率化やごみ収集カレンダー情報の正確性及び最適性をより向上できる。
【００３５】
本発明の一の形態によれば、前記基礎情報は、地理情報システムの地図情報を有し、前記ごみ収集地域情報は、所定の領域をもつ収集地域の情報を前記地図情報の地図の所定の位置に対応付けた情報であることを特徴とする。ここで、「対応付けた情報」とは、例えば地図情報の上に位置をキーとして収集地域が形成されたレイヤーを設け、それらのレイヤーが組み合わされた情報等をいう。これにより、例えばごみ収集地域情報をディスプレー画面上に出力すれば、地図上の道路情報等から容易に所望の収集地域を探し出すことができ、ごみ収集カレンダー情報の作成のみならず、利用者の便宜もより向上する。また、行政地域名称では特定できない細かいごみ収集地域情報等も地図上で容易に特定が可能であり、ごみ収集カレンダーの実用性が向上する。
【００３６】
本発明の一の形態によれば、前記収集地域の情報は、前記収集地域ごとの個別情報を有することを特徴とする。これにより、ごみ収集カレンダー情報を高機能化することができる。
【発明の効果】
【００３７】
本発明によれば、地域毎のごみ収集カレンダーの作成を簡単に行うことができる。
【発明を実施するための最良の形態】
【００３８】
以下、本発明の実施の形態を図面に基づき説明する。
【００３９】
図１は本発明の一実施形態に係るごみ収集カレンダー作成システムの構成を示す図である。
【００４０】
図１に示すように、このごみ収集カレンダー作成システムは、ごみ収集カレンダーを作成するためのＷｅｂアプリケーションによるサービスを提供するサーバ１と、サーバ１が提供するサービスをインターネットなどのネットワーク６を通じて管理する管理者端末１０と、サーバ１のサービスをインターネットなどのネットワーク６を通じて利用する利用者端末２０とで構成される。
【００４１】
サーバ１は、基本的なコンピュータのハードウェア構成を備え、具体的には、ＣＰＵ（Ｃｅｎｔｒａｌ  Ｐｒｏｃｅｓｓｉｎｇ  Ｕｎｉｔ）２、メインメモリであるメモリ３、各種プログラムやデータを記憶する記憶部４、ネットワーク６との接続を処理する通信部５を有する。記憶部４は、具体的にはハードディスクドライブなどの読み書き自在な記憶装置であり、たとえば、このサーバ１をＷｅｂサーバとして機能させるためのＷｅｂサーバプログラム７、ごみ収集カレンダー作成用のアプリケーションを提供するＷｅｂアプリケーションサーバプログラム８、ごみ収集カレンダー作成用の各種画面、ごみ収集カレンダーのテンプレート、さらには、管理者端末１０より登録されたごみ種別やごみ収集地域などの各種データ９などを格納する。
【００４２】
管理者端末１０は、たとえばパーソナルコンピュータなどであり、ＣＰＵ１１、メインメモリであるメモリ１２、各種プログラムやデータを記憶する記憶部１３、ネットワーク６との接続を処理する通信部１４、表示部１５、キーボードやマウスなどの入力部１６などを備えている。記憶部１３には、サーバ１が提供するごみ収集カレンダー作成用のＷｅｂアプリケーションをインターネットなどのネットワーク６を通じて管理するためのツールとしてＷｅｂブラウザ１７などのプログラムが格納されている。
【００４３】
一方、利用者端末２０は、たとえばパーソナルコンピュータなどであり、ＣＰＵ２１、メインメモリであるメモリ２２、各種プログラムやデータを記憶する記憶部２３、ネットワーク６との接続を処理する通信部２４、表示部２５、キーボードやマウスなどの入力部２６などを備えている。記憶部２３には、サーバ１が提供するごみ収集カレンダー作成用のＷｅｂアプリケーションをインターネットなどのネットワーク６を通じて利用するＷｅｂブラウザ２７などが格納されている。
【００４４】
次に、ごみ収集カレンダーを作成する動作を説明する。
【００４５】
図２は、かかるごみ収集カレンダーが作成されるまでの手順を示すフローチャートである。
【００４６】
基本的な作成手順としては、管理者端末１０のＷｅｂブラウザ１７上で、管理者は、まず、ごみ種別の登録を行い（ステップ２０１）、続いて地域の登録（ステップ２０２）、地域のグループの登録（ステップ２０３）を順番に行う。さらに、カレンダー用祝日の登録を行った後（ステップ２０４）、地域ごともしくは地域のグループごとに、ごみ種別ごとのごみ収集日の登録を行う（ステップ２０５）。これにより、サーバ１の記憶部４に、各地域もしくは各グループのごみ収集カレンダーの作成に必要な図示しないデータ２８の登録が完了となる。
【００４７】
その後、利用者端末２０のＷｅｂブラウザ２７上で、利用者は年月、地域名（またはグループ名）を指定することで、サーバ１により記憶部４の登録データ２８を用いて、その地域もしくはグループのごみ収集カレンダーのデータが作成される（ステップ２０６）。
【００４８】
次に、上記の手順を具体的に説明する。  
まず、ごみ収集カレンダー作成用のＷｅｂアプリケーションは、管理者端末１０のＷｅｂブラウザ１７を通じて、管理者端末１０の表示部１５に初期画面としてごみ出しナビゲータを表示させる。
【００４９】
図３は、ごみ出しナビゲータの画面３０の例を示す図である。ごみ出しナビゲータ画面３０は、何のデータの登録を行うかを管理者に選択させるための画面で、選択項目として、ごみ種別マスター登録３１、地域登録３２、グループ登録３３、カレンダー用祝日登録３４、ごみ収集カレンダー登録３５などがある。
【００５０】
ごみ出しナビゲータ画面３０において、管理者によりごみ種別マスター登録３１が選択されると、ごみ収集カレンダー作成用のＷｅｂアプリケーションは、Ｗｅｂブラウザ１７を通じて、ごみ種別マスター登録画面を管理者端末１０の表示部１５に表示させる。
【００５１】
図４はごみ種別マスター登録画面４０の例を示している。ごみ種別マスター登録画面４０には、登録済みのごみ種別の一覧４１が表示され、この一覧４１にはごみ種別ごとの変更ボタン４２と削除ボタン４３が設けられている。さらに、ごみ種別マスター登録画面４０には、ごみ種別の新規登録を行うための新規登録ボタン４４が設けられている。
【００５２】
ごみ種別マスター登録画面４０において新規登録ボタン４４が管理者により操作されると、ごみ収集カレンダー作成用のＷｅｂアプリケーションは、Ｗｅｂブラウザ１７を通じて、ごみ種別マスター新規登録画面を管理者端末１０の表示部１５に表示させ、ごみ種別マスターの登録処理を次のようにして行う。
【００５３】
図５はごみ種別マスター新規登録画面５０の例を示している。ごみ種別マスター新規登録画面５０には、入力フォームとして、ごみ種名称のテキストを入力するためのごみ種名称入力ボックス５１、ごみ種名称のテキストの色を選択するためのテキストカラー選択ボックス５２、およびごみ種名称に関するコメントを入力するためのコメント入力ボックス５３とが設けられている。テキストカラー選択ボックス５２の色は初期値として黒が設定されている。ボタンとしては、上記の入力フォームへの入力内容を登録するための登録ボタン５４、入力フォームを初期化するためのリセットボタン５５、前ページの画面に戻るための戻りボタン５６が設けられている。
【００５４】
このごみ種別マスター新規登録の入力フォームへ、管理者は少なくとも新規登録したいごみ種名称とテキストの色を入力した後、登録ボタン５４を操作すると、図６に示すような新規登録内容の確認画面６０が表示され、この確認画面６０で再度登録ボタン６１を操作することで、新規登録内容であるごみ種名称、テキストの色およびコメントがサーバ１の記憶部４にデータ９として登録される。登録完了後、図７に示すような新規登録終了画面７０が表示され、この新規登録終了画面７０でトップに戻るのボタン７１を操作することで、図３に示したごみ出しナビゲータ画面３０に戻る。
【００５５】
また、図４に示したごみ種別マスター登録画面４０において、ごみ種別一覧４１にある、いずれかのごみ種別の変更ボタン４２が管理者により操作されると、ごみ収集カレンダー作成用のＷｅｂアプリケーションはＷｅｂブラウザ１７を通じて、記憶部４の登録データ９を基に、ごみ種別マスター更新画面のデータを作成して管理者端末１０の表示部１５に表示する。
【００５６】
図８はごみ種別マスター更新画面８０の例を示している。ごみ種別マスター更新画面８０には、更新が指定されたごみ種別についての登録済みの内容が、ごみ種名称入力ボックス８１、テキストカラー選択ボックス８２、コメント入力ボックス８３にそれぞれ挿入された状態で表示される。
【００５７】
この更新用の入力フォームに管理者により更新したい情報が入力され、変更ボタン８４が操作されると、更新内容の確認画面が表示され、この確認画面で再度更新ボタンが管理者によって操作されると、その更新内容でサーバ１の記憶部４の登録データ９が更新される。
【００５８】
また、ごみ種別マスター更新画面８０には、ボタンとして、上記の変更ボタン８４のほか、ごみ種別マスター更新画面８０に表示されたごみ種別を削除するための削除ボタン８５、入力フォームを初期化するためのリセットボタン８６、前ページの画面に戻るための戻りボタン８７が設けられている。
【００５９】
ごみ種別マスター更新画面８０の削除ボタン８５が管理者により操作されることで、ごみ種別マスター更新画面８０に表示されたごみ種別を削除することができる。また、図４のごみ種別マスター登録画面４０の削除ボタン４３を操作することによってもごみ種別を削除することが可能である。
【００６０】
次に、図３のごみ出しナビゲータ画面３０において地域登録３２が選択され、次のようにして地域の登録が行われる。
【００６１】
地域登録３２が選択されると、ごみ収集カレンダー作成用のＷｅｂアプリケーションはＷｅｂブラウザ１７を通じて、サーバ１の記憶部４の登録データ９を基に地域登録画面のデータを作成して管理者端末１０の表示部１５に表示する。
【００６２】
図９は地域登録画面９０の例を示している。この地域登録画面９０には登録済みの地域の一覧９１が表示されている。一覧９１の個々の地域のデータには、地域名称９２と地域かな９３とが含まれている。また、一覧９１には、各々の地域ごとに変更ボタン９４と削除ボタン９５が設けられている。さらに、地域登録画面９０には、地域の新規登録を行うための新規登録ボタン９６が設けられている。
【００６３】
この地域登録画面９０において新規登録ボタン９６が管理者により操作されると、ごみ収集カレンダー作成用のＷｅｂアプリケーションはＷｅｂブラウザ１７を通じて、地域新規登録画面のデータを作成して管理者端末１０の表示部１５に表示する。
【００６４】
図１０は地域新規登録画面１００の例を示している。この地域新規登録画面１００には、入力フォームとして、地域名称のテキストを入力するための地域名称入力ボックス１０１、地域かなのテキストを入力するための地域かな入力ボックス１０２が設けられている。ボタンとしては、上記の入力フォームへの入力内容を登録するための登録ボタン１０３、入力フォームを初期化するためのリセットボタン１０４、前ページの画面に戻るための戻りボタン１０５が設けられている。
【００６５】
この地域新規登録画面１００の入力フォームへ、管理者により地域名称および地域かなが入力された後、登録ボタン１０３が操作されることで、新規登録内容の確認画面が表示され、この確認画面で登録ボタンが操作されることで、新規登録内容である地域名称および地域かながサーバ１の記憶部４に登録される。登録完了後、新規登録終了画面が表示され、この新規登録終了画面でトップに戻るのボタンが操作されると、図３に示したごみ出しナビゲータ画面３０に戻る。
【００６６】
また、図９に示した地域登録画面９０において、登録済みの地域の一覧９１にある、いずれかの地域の変更ボタン９４が管理者により操作されると、サーバ１の記憶部４の登録データ９を基に地域更新画面のデータが作成されて、管理者端末１０の表示部１５に表示される。
【００６７】
図１１は地域更新画面１１０の例を示している。この地域更新画面１１０には、更新が指定された地域に関する登録済みの内容が、地域名称入力ボックス１１１、地域かな入力ボックス１１２にそれぞれ挿入された状態で表示される。管理者は、これら地域名称入力ボックス１１１、地域かな入力ボックス１１２に更新内容を入力し、変更ボタン１１３を操作すると、更新内容の確認画面が表示され、この確認画面で更新ボタンを操作することで、地域名称入力ボックス１１１および地域かな入力ボックス１１２にそれぞれ入力された内容で、サーバ１の記憶部４の登録データ９が更新される。
【００６８】
また、地域更新画面１１０には、ボタンとして、上記の変更ボタン１１３のほか、地域更新画面に表示された地域エントリを削除するための削除ボタン１１４、入力フォームを初期化するためのリセットボタン１１５、前ページの画面に戻るための戻りボタン１１６が設けられている。
【００６９】
この地域更新画面１１０の削除ボタン１１４を操作することで、地域更新画面１１０に表示された地域データをサーバ１の記憶部４から削除することができる。また、図９の地域登録画面９０の削除ボタン９５を操作することによっても、対応する地域データをサーバ１の記憶部４から削除することができる。
【００７０】
次に、図３のごみ出しナビゲータ画面３０においてグループ登録３３が選択され、次のようにしてグループの登録処理が行われる。
【００７１】
グループ登録３３が選択されると、サーバ１の記憶部４の登録データ９を基に、グループ登録画面のデータが作成されて、管理者端末１０の表示部１５に表示される。
【００７２】
図１２はグループ登録画面１２０の例を示している。このグループ登録画面１２０には、登録済みのグループの一覧１２１と、グループの新規登録を行うための新規登録ボタン１２２などが設けられている。また、グループの一覧１２１には、各々の登録済みのグループごとに変更ボタン１２３と削除ボタン１２４が設けられている。
【００７３】
このグループ登録画面１２０において新規登録ボタン１２２が管理者により操作されると、グループ新規登録画面のデータが作成され、管理者端末１０の表示部１５に表示される。
【００７４】
図１３はグループ新規登録画面１３０の例を示している。このグループ新規登録画面１３０には、入力フォームとして、グループ名称のテキストを入力するためのグループ名称入力ボックス１３１と、記憶部４に登録されているすべての地域ごとのチェックボックス１３２が設けられている。ボタンとしては、上記の入力フォームへの入力内容を登録するための登録ボタン１３３、入力フォームを初期化するためのリセットボタン１３４、前ページの画面に戻るための戻りボタン１３５が設けられている。
【００７５】
このグループ新規登録画面１３０で、管理者によりグループ名称入力ボックス１３１に新規登録したいグループ名称が入力され、このグループに入れたい地域のチェックボックス１３２にチェックが入れられた後、登録ボタン１３３が操作されることで、グループ新規登録内容の確認画面が表示され、この確認画面で再度登録ボタンを操作することで、入力されたグループ名称と、このグループに属する地域がサーバ１の記憶部４に登録される。登録完了後、新規登録終了画面が表示される。この新規登録終了画面でトップに戻るのボタンが操作されると、図３に示したごみ出しナビゲータ画面３０に戻る。
【００７６】
また、図１２に示したグループ登録画面１２０のグループの一覧１２１にある、いずれかのグループの変更ボタン１２３が管理者により操作されると、図１３に示したグループ新規登録画面と同様のグループ更新画面が表示部１５に表示される。管理者がこのグループ更新画面でグループ名称、グループに属する地域などの更新内容を入力した後、変更ボタンを操作すると、グループ更新内容確認画面が表示され、このグループ更新内容確認画面の更新ボタンを操作すれば、サーバ１の記憶部４の登録データ９を更新することができる。
【００７７】
さらに、図１２に示したグループ登録画面１２０のグループの一覧１２１にある、いずれかのグループの削除ボタン１２４が管理者により操作されることで、グループ削除確認画面が表示され、このグループ削除確認画面の削除ボタンが操作されることで、サーバ１の記憶部４の指定グループのデータが削除される。
【００７８】
次に、図３のごみ出しナビゲータ画面３０においてカレンダー用祝日登録３４が選択され、次のようにしてカレンダー用祝日の登録処理が行われる。なお、このカレンダー用祝日の登録処理は、必ずしもこのタイミングで行う必要はなく、ごみ種別マスター登録の前や、後述するごみ収集日の登録後に行ってもよい。
【００７９】
カレンダー用祝日登録３４が選択されると、サーバ１の記憶部４の登録データ９を基に、カレンダー用祝日登録画面のデータが作成されて管理者端末１０の表示部１５に表示される。
【００８０】
図１４はカレンダー用祝日登録画面１４０の例を示している。このカレンダー用祝日登録画面１４０には、登録済みのカレンダー用祝日の一覧１４１と、カレンダー用祝日の新規登録を行うための新規登録ボタン１４２などが設けられている。カレンダー用祝日の一覧１４１には、登録済みのカレンダー用祝日データとして、日付、祝日名の一覧が表示され、各々のカレンダー用祝日ごとに変更ボタン１４３と削除ボタン１４４が設けられている。
【００８１】
このカレンダー用祝日登録画面１４０において、管理者により新規登録ボタン１４２が操作されると、カレンダー用祝日新規登録画面のデータが作成され、管理者端末１０の表示部１５に表示される。
【００８２】
図１５はカレンダー用祝日新規登録画面１５０の例を示している。このカレンダー用祝日新規登録画面１５０には、入力フォームとして、日付を入力するための日付入力ボックス１５１と、祝日名を入力するための祝日名ボックス１５２が設けられている。ボタンとしては、上記の入力フォームへの入力内容を登録するための登録ボタン１５３、入力フォームを初期化するためのリセットボタン１５４、前ページの画面に戻るための戻りボタン１５５が設けられている。
【００８３】
このカレンダー用祝日新規登録画面１５０の入力フォームに、管理者により新規登録したい日付と祝日名が入力された後、登録ボタン１５３が操作されると、カレンダー用祝日新規登録内容の確認画面が表示され、この確認画面で再度登録ボタンが操作されることで、新規登録内容である日付と祝日名がサーバ１の記憶部４に新規登録される。登録完了後、新規登録終了画面が表示され、この新規登録終了画面でトップに戻るのボタンが操作されることで、図３に示したごみ出しナビゲータ画面３０に戻る。
【００８４】
また、図１４に示したカレンダー用祝日登録画面１４０において、カレンダー用祝日の一覧１４１にある、いずれかのカレンダー用祝日の変更ボタン１４３が管理者により操作されると、図１５に示したカレンダー用祝日新規登録画面と同様のカレンダー用祝日更新画面が管理者端末１０の表示部１５に表示され、このカレンダー用祝日更新画面で日付と祝日名などの更新内容が入力された後、変更ボタンが操作されることで、更新内容確認画面が表示される。この更新内容確認画面の更新ボタンが操作されることで、サーバ１の記憶部４のカレンダー用祝日データの更新が行われる。
【００８５】
さらに、図１４に示したカレンダー用祝日登録画面１４０において、カレンダー用祝日の一覧１４１にある、いずれかのカレンダー用祝日の削除ボタン１４４が管理者により操作されることで、削除内容確認画面が表示され、この削除内容確認画面の削除ボタンが操作されることで、サーバ１の記憶部４の指定カレンダー用祝日のデータが削除される。
【００８６】
次に、図３のごみ出しナビゲータ画面３０においてごみ収集カレンダー登録３５が選択され、次のようにして、ごみ種別ごとのごみ収集日の登録処理が行われる。
【００８７】
ごみ収集カレンダー登録３５が選択されると、ごみ種別ごとの収集日の登録・削除を行うためのごみ収集カレンダー登録画面が管理者端末１０の表示部１５に表示される。
【００８８】
図１６は、ごみ収集カレンダー登録画面１６０の例を示している。ごみ収集カレンダー登録画面１６０には、選択項目として、ごみ収集日の週単位登録画面１６１、ごみ収集日の週単位削除画面１６２、ごみ収集日の日単位登録・削除画面１６３、ごみ収集日の週単位確認画面１６４などが設けられている。また、ごみ収集カレンダー登録画面にはごみ出しナビゲーターに戻るためのボタン１６５も設けられている。
【００８９】
ごみ収集カレンダー登録画面１６０でごみ収集日の週単位登録画面１６１が管理者によって選択されると、管理者端末１０の表示部１５にごみ収集日の週単位登録画面が表示される。
【００９０】
図１７はごみ収集日の週単位登録画面１７０の例を示している。ごみ収集日の週単位登録画面１７０には、入力フォームとして、ごみ種別を入力するごみ種別入力ボックス１７１、ごみ収集カレンダーの開始日を入力する開始日入力ボックス１７２、ごみ収集カレンダーの終了日を入力する終了日入力ボックス１７３、ごみ収集カレンダーから除外する日の開始日を入力する除外開始日入力ボックス１７４、ごみ収集カレンダーから除外する日の終了日を入力する除外終了日入力ボックス１７５、月のなかの週を選択する週選択チェックボックス１７６、曜日を選択する曜日選択チェックボックス１７７を有している。また、ボタンとしては、地域選択画面を呼び出すための地域選択呼び出しボタン１７８と、入力フォームを初期化するリセットボタン１７９などが設けられている。
【００９１】
上記のごみ収集日の週単位登録画面１７０の入力フォームへ管理者によって必要な情報が入力された後、地域選択呼び出しボタン１７８が操作されると、地域選択画面が管理者端末１０の表示部１５に表示される。
【００９２】
図１８は、図１７のごみ収集日の週単位登録画面１７０から呼び出される地域選択画面１８０の例を示す図である。地域選択画面１８０には、週単位登録画面の入力フォームに入力されたごみ種別、ごみ収集カレンダーの開始日から終了日までの年月日、月の週、曜日などの情報が確認用に表示されるとともに、地区名を選択するための地区選択ボックス１８１、地区のグループ名を選択するためのグループ名選択ボックス１８２、地区選択ボックス１８１およびグループ名選択ボックス１８２での選択結果を表示するための選択地区名リストボックス１８３が設けられている。また、ボタンとしては、地区選択ボックス１８１およびグループ名選択ボックス１８２で選択された地区名およびグループ名を選択地区名リストボックス１８３へ移動させるための選択ボタン１８４と、選択地区名リストボックス１８３へ入力された地区名およびグループ名を削除する削除ボタン１８５と、ごみ収集カレンダー登録内容の確認画面を呼び出すための確認画面呼び出しボタン１８６と、週単位登録画面に戻るための戻りボタン１８７などが設けられている。
【００９３】
この地域選択画面１８０において、管理者は、地区選択ボックス１８１およびグループ名選択ボックス１８２の中から所望の地区名およびグループ名を指定した後、選択ボタン１８４を操作することによって、地区選択ボックス１８１およびグループ名選択ボックス１８２の中で指定された地区名およびグループ名が選択地区名リストボックス１８３に入力されて表示される。この操作は、何回でも繰り返し行うことができ、選択地区名リストボックス１８３に所望の地区名およびグループ名をいくつでも入れることができる。この際、地区名のみ、あるいはグループ名のみを選択して選択地区名リストボックス１８３に入れることも可能である。
【００９４】
選択地区名リストボックス１８３に不要な地区名およびグループ名がある場合には、その不要なオブジェクトを指定して、選択地区名リストボックス１８３の近傍に設けられた削除ボタン１８５を操作することで、その不要なオブジェクトが選択地区名リストボックス１８３から削除することができる。
【００９５】
地域選択画面１８０において必要な地域名、グループ名の入力が完了した後、確認画面呼び出しボタン１８６が管理者によって操作されると、たとえば図１９に示すような、ごみ収集日と地域の登録内容確認画面１９０が作成され、管理者端末１０の表示部１５に表示される。ごみ収集日と地域の登録内容確認画面１９０において登録ボタン１９１が操作されると、その確認したごみ収集日と地域がサーバ１の記憶部４に保存されるとともに、管理者端末１０の表示部１５に登録終了画面が表示され、この登録終了画面でトップに戻るのボタンを操作することで、図３に示したごみ出しナビゲータ画面３０に戻る。
【００９６】
また、図１９に示した登録内容確認画面１９０には、修正ボタン１９２が設けられており、この修正ボタン１９２が管理者により操作されると、図１８に示した地域選択画面１８０へ戻って地域名、グループ名を選択し直すことができる。
【００９７】
図１６に示したごみ収集カレンダー登録画面１６０でごみ収集日の週単位削除画面が管理者によって選択されると、図２０に示すように、管理者端末１０の表示部１５に、図１７のごみ収集日の週単位登録画面１７０と同様のごみ収集日の週単位削除画面２００が表示される。
【００９８】
ごみ収集日の週単位削除画面２００の入力フォームへ管理者によって削除対象の情報が入力された後、地域選択呼び出しボタン２０８が操作されると、図２１に示すように、管理者端末１０の表示部１５に図１８の地域選択画面と同様の地域削除画面２１０が表示される。
【００９９】
この地域削除画面２１０において、管理者は、地区選択ボックス２１１およびグループ名選択ボックス２１２の中から削除対象の地区名およびグループ名を指定した後、選択ボタン２１４を操作することによって、その地区名およびグループ名が選択地区名リストボックス２１３へ移動して表示される。この後、選択地区名リストボックス２１３内の地区名およびグループ名を選択して、選択地区名リストボックス２１３の近傍に設けられた削除ボタン２１５を操作することで、選択地区名リストボックス２１３から、選択された地区名およびグループ名が削除される。
【０１００】
この後、確認画面呼び出しボタン２１６が管理者によって操作されると、たとえば図２２に示すように、ごみ収集日の登録削除内容確認画面が管理者端末１０の表示部１５に表示される。この登録削除確認画面２２０において削除ボタン２２２が操作されると、その登録削除内容に従ってサーバ１の記憶部４から該当するデータが削除されるとともに、管理者端末１０の表示部１５に登録削除終了画面が表示される。この登録削除終了画面でトップに戻るのボタンが操作されることで、図３に示したごみ出しナビゲータ画面３０に戻る。また、登録削除確認画面２２０において修正ボタン２２１が操作されると、図２１の地域削除画面２１０に戻り、ここで削除対象の地域、グループを選択し直すことができる。
【０１０１】
図１６に示したごみ収集カレンダー登録画面１６０で、ごみ収集日の日単位登録・削除画面１６３が管理者により選択されると、管理者端末１０の表示部１５にごみ収集日の日単位登録・削除画面が表示される。
【０１０２】
図２３は、ごみ収集日の日単位登録・削除画面２３０の例を示している。ごみ収集日の日単位登録・削除画面２３０には、入力フォームとして、地区名を指定するための地区名指定ボックス２３１と、検索年月を指定するための検索年月指定ボックス２３２が設けられている。ボタンとしては、入力フォームに指定された条件で検索の実行を指示するための検索ボタン２３３と、入力フォームを初期化するためのリセットボタン２３４が設けられている。
【０１０３】
ごみ収集日の日単位登録・削除画面２３０で検索ボタン２３３が操作されると、入力フォームに指定された条件でサーバ１の記憶部４にこれまでに登録されているデータが検索され、検索データを基にごみ収集カレンダーのデータが作成される。すなわち、入力フォームで指定された年月に対応するカレンダーのデータと、入力フォームで指定された地区名に関連付けて登録されたごみ種別、ごみ収集日（月の週、曜日）のデータとをマージして、暫定的なごみ収集カレンダーのデータを作成する。なお、この暫定的なごみ収集カレンダーのデータにおいては、カレンダー用祝日の登録処理で登録された祝日が反映されており、ごみ収集日の週単位登録処理でごみ収集日として指定された日が祝日である場合には、自動的にその日はごみ収集日から外される。続いて、この暫定的なごみ収集カレンダーを含む、ごみ収集日の日単位登録画面のデータが作成され、管理者端末１０の表示部１５に表示される。
【０１０４】
図２４は、ごみ収集日の日単位登録画面２４０の例を示している。ごみ収集日の日単位登録画面２４０には、ごみ収集カレンダー２４１と、日単位のデータの削除画面を呼び出すためのリンク２４２、日単位のデータの登録・変更画面を呼び出すためのリンク２４３、ごみ出しナビゲータ画面を呼び出すためのリンク２４４、他の年月を指定するための年月指定ボックス２４５、年月指定ボックス２４５に指定された年月の日単位登録画面に表示を切り替えるための表示切替ボタン２４６、別の地区名を指定するための地区名指定ボックス２４７、この地区名指定ボックス２４７で指定された別の地区名の日単位登録画面に表示を切り替えるための表示切替ボタン２４８などが設けられている。
【０１０５】
ごみ収集日の日単位登録画面２４０のごみ収集カレンダー２４１においては、文字の色やマークなどによって、ごみ収集日が割り当てられた日が識別できるようになっている。
【０１０６】
また、ごみ収集日の日単位登録画面２４０で、日単位のデータの登録・変更画面を呼び出すためのリンク２４３が管理者によって指定されると、図２５に示すように、日単位登録画面２４０にごみ出しカレンダー入力画面２５０が出現する。ごみ出しカレンダー入力画面２５０には、指定された地区名２５１、年月日２５２、ごみ種別を選択するためのチェックボックス付きのごみ種別選択ボックス２５３が表示される。また、ごみ出しカレンダー入力画面２５０には、同カレンダー入力画面２５０へのごみ種別登録内容の確認画面を呼び出すための登録ボタン２５４と、カレンダー入力画面２５０を初期化するためのリセットボタン２５５が設けられている。
【０１０７】
このカレンダー入力画面２５０で、ごみ種別選択ボックス２５３内のいずれかのごみ種別のチェックボックスに管理者によってチェックが入れられた後、登録ボタン２５４が操作されると、ごみ収集日の日単位登録確認画面が表示され、この確認画面で再度登録ボタンが操作されることで、サーバ１の記憶部４に日単位のデータの登録または更新が行われる。
【０１０８】
また、ごみ収集日の日単位登録画面２４０で、日単位のデータの削除画面を呼び出すためのリンク２４２が管理者によって指定されると、図２６に示すように、日単位登録画面に、削除確認用のごみ出しカレンダー入力画面２６０が現れる。この削除確認用のごみ出しカレンダー入力画面２６０には、地区名２６１、指定された年月日２６２、その年月日に割り当てられたごみ種別２６３が表示される。この削除確認用のごみ出しカレンダー入力画面２６０には削除ボタン２６４が設けられており、この削除ボタン２６４が管理者によって操作されると、サーバ１の記憶部４から該当する日単位のデータが削除される。
【０１０９】
以上のようにして、サーバ１の記憶部４に、ごみ種別、地域、グループ、カレンダー用祝日、ごみ収集日のデータが登録され、これらのデータを用いて、たとえば図２７に示すようなごみ収集カレンダーのデータを作成することができる。
【０１１０】
ごみ収集カレンダーを出力する際には、利用者端末２０から各々の利用者が年月と地区名とを指定して、ごみ収集カレンダーの出力を指示する。すなわち、利用者端末２０の利用者は、Ｗｅｂブラウザ２７を通じて、ごみ収集カレンダー作成用のＷｅｂアプリケーションに対して年月選択画面および地区選択画面のダウンロードを要求し、これら年月選択画面および地区選択画面に対して、利用者が任意の年月および地区を選択して、ごみ収集カレンダー作成用のＷｅｂアプリケーションに通知する。
【０１１１】
ごみ収集カレンダー作成用のＷｅｂアプリケーションは、これらの通知を受けると、サーバ１の記憶部４から、指定された年月に対応するカレンダーのテンプレートと、指定された地区名に関連付けて登録されているごみ種別、ごみ収集日などのデータを取得し、これらのデータをマージして、ごみ収集カレンダーのデータを作成し、Ｗｅｂブラウザ２７を通じて利用者端末２０の表示部２５に表示する。
【０１１２】
このようにして、この実施形態によれば、地域ごとのごみ収集カレンダーを簡単に作成することができる。また、複数の地域をまとめたグループの単位でごみ収集カレンダーを作成できることで、より効率的に地域ごとのごみ収集カレンダーが得られる。
【０１１３】
次に、すべての地域のごみ収集日のデータ登録が完了したところで、作成された各地域のゴミ収集カレンダーのごみ収集日の割り当てが、ごみ収集能力たとえば全体的な運搬能力やごみ処理施設の能力などの観点から妥当性であるか否かを検証する方法について説明する。
【０１１４】
たとえば、燃やさないごみに着目すると、燃やさないごみの収集日が多くの地区で重なると、予想される全体の収集量が、ごみ収集能力の上限を超えてしまう可能性がある。このような場合には、全体の収集量が上限を超えない範囲に収まるように、各地域の燃やさないごみの収集日を分散するよう管理者に指示する。
【０１１５】
この機能の利用は、具体的には、図１６に示したごみ収集カレンダー登録画面１６０に、収集量上限オーバーチェック画面を呼び出すためのボタン１６６を設けておき、このボタン１６６を操作することで開始される。このボタン１６６を操作すると、図２８に示すように、チェック対象の日を入力するチェック日入力ボックス２８１と、ごみ種別を指定するごみ種別指定ボックス２８２と、チェック開始を指示する開始ボタン２８３と、入力フォームを初期化するリセットボタン２８４とを有する収集量上限オーバーチェック画面２８０が表示される。
【０１１６】
この収集量上限オーバーチェック画面２８０において、管理者がチェック日入力ボックス２８１にチェックしたいごみ収集日を入力するとともに、ごみ種別指定ボックス２８２にてごみ種別を指定後、開始ボタン２８３を操作すると、ごみ収集カレンダー作成用のＷｅｂアプリケーションは、次のような検証動作を開始する。
【０１１７】
図２９は、全地域のごみ収集日の割り当ての妥当性を検証する動作の手順を示すフローチャートである。
【０１１８】
まず、ごみ収集カレンダー作成用のＷｅｂアプリケーションは、記憶部４の登録データ２８から該当する地域をすべて検索する（ステップ２９０１）。ここで該当する地域とは、収集量上限オーバーチェック画面２８０で指定されたチェック対象の日が、収集量上限オーバーチェック画面２８０で指定されたごみ種別の収集日として設定された地域である。
【０１１９】
サーバ１の記憶部４には、過去の実績から統計的に求めておいた、各地域のごみ種別ごとの平均的なごみ収集量がデータベースとして保存されている。ごみ収集カレンダー作成用のＷｅｂアプリケーションは、このデータベースから、検索された各々の地域ごとの指定のごみ種別に対応するごみ収集量を検索し（ステップ２９０２）、これらの合計を算出する（ステップ２９０３）。そして、この算出されたごみ収集量の合計値と、あらかじめ用意されたしきい値とを比較し（ステップ２９０４）、ごみ収集量の合計値が収集上限量であるしきい値を超えている場合には（ステップ２９０４のＹＥＳ）、収集量上限オーバーであることをチェック結果確認画面を通して管理者に通知する（ステップ２９０５）。
【０１２０】
ここで、収集上限量の値（Ａ）は、全体として保有する車両台数（Ｍ）、個々の車両の最大積載量（Ｇ）、車両一台の一日の収集回数（Ｒ）などから推定でき、たとえばＡ＝Ｍ×Ｇ×Ｒなどで表すことができる。ここで、車両台数（Ｍ）、個々の車両の最大積載量（Ｇ）は一意に与えられる値であるが、車両一台の一日の収集回数（Ｒ）は、収集ステーション、処理施設などへの移動時間や、ごみの収集作業時間など、様々な要素によって変動する。そこで、この車両一台の一日の収集回数（Ｒ）については過去の実績から統計的に求められた平均値、あるいはコンピュータ上で計算によって求められた値を採用するものとする。
【０１２１】
車両一台の一日の収集回数（Ｒ）をコンピュータ上で計算によって求める手順を以下に示す。
【０１２２】
まず、車両の待機場所から収集地区までの移動に要する時間を、その間の距離データ、走行速度データを基に算出する。次に、地区内の各収集ステーションの間を移動しつつごみ収集作業が行われる際の、個々の収集ステーションごとに要する時間を算出する。この時間は、収集ステーションでの収集作業に要する時間と収集ステーション間の移動時間との和である。収集作業に要する時間は予め決められた一定時間であってよい。収集ステーション間の移動時間は、地区内で順番に辿る収集ステーション間の平均距離のデータと走行速度のデータに基づいて算出することができる。
【０１２３】
車両の積載量が最大積載量に到達したならば、車両は処理施設に移動して、そこで積載ごみを排出して再び収集地区に戻り、次の収集ステーションに移動しなければならない。そこで、収集地区と処理施設との往復距離のデータと走行速度のデータ、および処理施設での排出に要する時間のデータから、その間に要する時間を算出する。排出に要する時間は予め決められた一定時間であってよい。
【０１２４】
車両のごみ積載量が最大積載量へ到達したことは、収集作業を終えた収集ステーションの数が一定の値、たとえば過去の実績から統計的に得られた平均値に達したことをもって判定するようにしてもよい。
【０１２５】
以上のようにして経過時間が発生する度に、それまでの経過時間に新たな経過時間を累積して行き、その累積時間を一日の作業時間と比較し、累積時間が一日の作業時間を超過するまでに、車両のごみ積載量が最大積載量へ到達した状況が何回発生するかを求め、この回数を車両一台の一日の収集回数（Ｒ）として採用することができる。
【０１２６】
次に図３０は、本発明の他の実施形態に係るサーバの記憶部に格納されたデータの内容の例を説明する図である。尚、これ以降の説明において、上述の実施形態に係るごみ収集カレンダー作成システムの構成や機能及びごみ収集カレンダーを作成する動作等について同様なものはその説明を簡略または省略し、異なる点を中心に説明する。
【０１２７】
例えば図１に示すようにサーバ（サーバ装置）１は、ＣＰＵ２、図示しないＲＯＭ（Read Only Memory）やＲＡＭ（Random Access Memory）などからなるメモリ３、各種プログラムやデータを記憶する記憶部４、ネットワーク６との接続を処理する通信部５を有する。ここで、記憶部４は例えばサーバ１をＷｅｂサーバとして機能させるためのＷｅｂサーバプログラム７、ごみ収集カレンダー作成用のアプリケーションを提供するＷｅｂアプリケーションサーバプログラム８や各種データ９を有する。
【０１２８】
各種データ９には、例えば図３０に示すようにごみ種別情報としてのごみ種別名称データ３０１、ごみ収集地域情報としての地区名称データ３０２及びグループ名称データ３０３、祝日データ３０４、ごみ収集日（年月の週・曜日）データ３０５、ごみ収集カレンダー作成用画面データ３０６及びごみ収集カレンダーのテンプレート３０７等を有する。
【０１２９】
ごみ種別名称データ３０１は、例えば図６のごみ種別マスター新規登録確認画面６０の登録ボタン６１が管理者により操作されることで、記憶部４のデータ９に記憶されたもの等である。また、地区名称データ３０２は、例えば図１０の地域新規登録画面１００の登録ボタンが操作され、その確認画面で更に登録ボタンが管理者により操作されることで、記憶部４のデータ９に記憶された地域名称及び地域かな等である。
【０１３０】
更にグループ名称データ３０３は、例えば図１３のグループ新規登録画面１３０の登録ボタン１２４が操作され、その確認画面で更に登録ボタンが管理者により操作されることで記憶部４のデータ９に記憶されたグループ名称及びそのグループに入れた地域等である。また、祝日データ３０４は例えば図１５のカレンダー用祝日新規登録画面１５０の登録ボタンが操作され、その確認画面で再度登録ボタンが操作されることで記憶部４のデータ９に記憶された日付と祝日名等である。
【０１３１】
ごみ収集日データ３０５は、例えば図１９のごみ収集日と地域の登録内容確認画面１９０において管理者が登録ボタン１９１を操作し、記憶部４のデータ９に記憶されたもの等である。この際、例えば地域のデータは第２の選択情報として第１の選択情報としてのごみ収集日データ（例えば年月日、週や曜日）と関連付けられて（対応付けられて）、記憶部４にデータ９として記憶される。これにより、ごみ収集カレンダーを作成するときに夫々のデータから容易に関連のある情報を検索でき、地域ごとのごみ収集カレンダーを作成できる。
【０１３２】
ごみ収集カレンダー作成用画面データ３０６は、ごみ収集カレンダー情報等を作成するための画面用データであり、例えば図３のごみ出しナビゲータ画面３０等である。
【０１３３】
また、管理者端末（情報端末装置）１０は、例えば図１に示すようにＣＰＵ１１、メモリ１２、記憶部１３、通信部１４、表示部１５及び入力部１６等を備えている。ここで、例えば表示部１５はＬＣＤ（Liquid Crystal Display）、ＣＲＴ（Cathode Ray Tube）、ＰＤＰ（Plasma Display Panel）、ＯＥＬ（Organic Electroluminescence）等からなり、入力部１６を操作する際の情報等を表示する。また、入力部１６は管理者の選択情報をサーバ１に送信するため等の際に管理者の操作を入力する。
【０１３４】
次に、利用者がごみ収集カレンダーを利用者端末から出力までの管理者端末等の動作を説明する。
【０１３５】
図３１は、ごみ収集カレンダーを出力するまでのフローチャートである。
【０１３６】
まず利用者の操作により他の情報端末装置としての利用者端末２０は、Ｗｅｂブラウザ２７により通信部２４からネットワーク６を介してごみ収集カレンダー作成ソフトウエアを導入している自治体等のＷｅｂサイトにアクセスし、表示地区選択画面呼び出し情報をサーバ１に送信する（ステップ３１０１）。サーバ１のＣＰＵ２は、表示地区選択画面呼び出し情報を通信部５を介して受信する（ステップ３１０２）と、Ｗｅｂアプリケーションサーバプログラム（「Ｗｅｂアプリケーション」という。）８に記憶部４に格納されたごみ収集カレンダー作成用画面データ３０６等を読み出させ、表示地区選択画面情報を通信部５から利用者端末２０へ送信させる（ステップ３１０３）。
【０１３７】
すると利用者端末２０のＣＰＵ２１は、サーバ１から送信された表示地区選択画面情報を通信部２４を介して受信し表示部２５に例えば図３２に示すように表示地区選択画面３１０として出力させる（ステップ３１０４）。
【０１３８】
ここで、図３２は表示地区選択画面の例を示す図であり、図３２（ａ）は表示地区選択画面の最初の画面、図３２（ｂ）は図３２（ａ）よりより細かい選択画面である。
【０１３９】
図３２（ａ）は、大まかな地域（地区）情報を利用者に選択させるための画面３１０で、登録済みの地区の一覧３１１、元に戻るボタン３１２を有する。また、図３２（ｂ）は、より細かい地区を選択させるための画面３１４で、あ行からわ行までの行選択ボタン３１６、当該行選択ボタンの選択により表示される詳細地区一覧３１７、トップに戻るボタン３１５を有する。
【０１４０】
利用者は、例えば図３２（ａ）の表示地区選択画面３１０で表示させたい地区をクリック等の操作をして選択する。そして、図３２（ｂ）の画面３１４であ行の行選択ボタン３１６を選択し、表示された詳細地区一覧３１７からごみ収集カレンダーを作成させたい地区を画面上でクリック等の操作をして選択する。勿論、上述のように二つの画面により、表示させたい地区選択情報をサーバ１に送る場合に限られるものではなく、最初の画面だけでも、更には三つ以上の選択画面によっても良い。
【０１４１】
次に、ＣＰＵ２１はこの地区選択のボタン選択情報をＷｅｂブラウザ２７により通信部２４からサーバ１に送信させる（ステップ３１０５）。そしてサーバ１のＣＰＵ２は、地区のボタン選択情報を通信部５を介して受信する（ステップ３１０６）と、Ｗｅｂアプリケーション８に記憶部４に格納されたごみ収集カレンダー作成用画面データ３０６等から、表示形式選択画面情報を読み出させ、通信部５から利用者端末２０へ送信させる（ステップ３１０７）。
【０１４２】
次に利用者端末２０は、サーバ１から表示形式選択画面情報をＷｅｂブラウザ２７により通信部２４を介して受信し、ＣＰＵ２１はその表示形式選択画面情報を表示部２５に例えば図３３に示すように表示形式選択画面３２０として出力する（ステップ３１０８）。
【０１４３】
ここで図３３は、表示形式選択画面の例を示す図である。表示形式選択画面３２０はごみ収集カレンダーの表示形式を選択する画面で、例えば２００４年と２００５年との年間表示選択ボタン３２１、２００４年及び２００５年の夫々に設けられた１月から１２月までの月表示選択ボタン３２２及び年と月と週とを夫々選択できる週表示選択ボックス３２３を有する。
【０１４４】
利用者が例えば年間表示で２００４年を選択し（ステップ３１０９）、２００４年の年間表示選択ボタンを操作すると、ＣＰＵ２１は、Ｗｅｂブラウザ２７により通信部２４を介してサーバ１に当該２００４年の年間表示選択ボタンの表示形式選択情報を送信させる（ステップ３１１０）。
【０１４５】
そしてサーバ１のＣＰＵ２は、当該表示形式選択情報を通信部５を介して受信する（ステップ３１１１）と、Ｗｅｂアプリケーション８に記憶部４に格納されたごみ種別名称データ３０１、地区名称データ３０２、祝日データ３０４、ごみ収集日（年月の週・曜日）データ３０５、ごみ収集カレンダー作成用画面データ３０６及びごみ収集カレンダーのテンプレート３０７等の中から当該表示地区選択情報及び表示形式選択情報に対応するデータを読み出させ、夫々の対応付け（関連付け）により、選択された地区の選択された２００４年の年間表示のごみ収集カレンダー画面情報を合成（編集）する（ステップ３１１２）。そして、ＣＰＵ２は合成された２００４年の年間表示のごみ収集カレンダー画面情報を通信部５を介して利用者端末２０に送信する（ステップ３１１３）。
【０１４６】
利用者端末２０のＣＰＵ２１は、サーバ１からごみ収集カレンダー画面情報をＷｅｂブラウザ２７により通信部２４を介して受信し、ＣＰＵ２１はそのごみ収集カレンダー画面情報を表示部２５に例えば図３４に示すように年間表示のごみ収集カレンダー画面３３０として出力する（ステップ３１１４）。
【０１４７】
ここで図３４は、年間表示のごみ収集カレンダー画面の例を示す図である。年間表示のごみ収集カレンダー画面３３０は１月から１２月までの各月ごとの月表示のごみ収集カレンダーを全て表示したものであるが、これに限られるものではなく、例えば４月から翌年の３月までを表示したものでもよい。また、年間表示のごみ収集カレンダー画面３３０は表示形式選択画面に戻るボタン３３１を有する。
【０１４８】
次に利用者端末２０のＣＰＵ２１は、表示部２５に年間表示のごみ収集カレンダー画面３３０を表示した後、利用者が当該画面の表示形式選択画面に戻るボタン３３１を操作したかをその入力情報により判断する（ステップ３１１５）。
【０１４９】
例えばＣＰＵ２１は、利用者が当該画面の表示形式選択画面に戻るボタン３３１を操作したと判断したときは、表示形式選択画面の呼び出し情報をＷｅｂブラウザ２７により通信部２４を介してサーバ１に送信する（ステップ３１１６）。そしてステップ３１０７に戻り、Ｗｅｂアプリケーション８に記憶部４に格納されたごみ収集カレンダー作成用画面データ３０６等から、表示形式選択画面情報を読み出させ通信部５から利用者端末２０へ送信させることとなる（ステップ３１０７）。
【０１５０】
また、ステップ３１０９で利用者が例えば月表示で２００４年の１月を選択し（ステップ３１０９）、２００４年１月の月表示選択ボタンを操作したとその入力情報によりＣＰＵ２１が判断したときは、Ｗｅｂブラウザ２７により通信部２４を介してサーバ１に当該２００４年１月の月表示選択ボタンの表示形式選択情報が送信される（ステップ３１１０）。
【０１５１】
そしてサーバ１のＣＰＵ２は、当該表示形式選択情報を通信部５を介して受信する（ステップ３１１１）と、年間表示選択の場合と同様に、選択された地区の選択された２００４年１月の月表示のごみ収集カレンダー画面情報を合成する（ステップ３１１２）。そして、ＣＰＵ２は合成された２００４年１月の月表示のごみ収集カレンダー画面情報を通信部５を介して利用者端末２０に送信する（ステップ３１１３）。
【０１５２】
利用者端末２０のＣＰＵ２１は、サーバ１からごみ収集カレンダー画面情報をＷｅｂブラウザ２７により通信部２４を介して受信し、ＣＰＵ２１はそのごみ収集カレンダー画面情報を表示部２５に例えば図３５に示すように月表示のごみ収集カレンダー画面３４０として出力する（ステップ３１１４）。
【０１５３】
図３５は、月表示のごみ収集カレンダー画面の例を示す図であり、月表示のごみ収集カレンダー画面３４０も表示形式選択画面に戻るボタン３４１を有する。
【０１５４】
更にステップ３１０９で利用者が例えば週表示で２００４年１月第１週を選択し（ステップ３１０９）、夫々の週表示選択ボックスに所定情報を入力したとＣＰＵ２１が、判断したときは、Ｗｅｂブラウザ２７により通信部２４を介してサーバ１に当該２００４年１月第１週の週表示選択ボタンの表示形式選択情報が送信される（ステップ３１１０）。
【０１５５】
そしてサーバ１のＣＰＵ２は、当該表示形式選択情報を通信部５を介して受信する（ステップ３１１１）と、年間表示選択の場合と同様に、選択された地区の選択された２００４年１月第１週の週表示のごみ収集カレンダー画面情報を合成する（ステップ３１１２）。そして、ＣＰＵ２は合成された２００４年１月第１週の週表示のごみ収集カレンダー画面情報を通信部５を介して利用者端末２０に送信する（ステップ３１１３）。
【０１５６】
利用者端末２０のＣＰＵ２１は、サーバ１からごみ収集カレンダー画面情報をＷｅｂブラウザ２７により通信部２４を介して受信し、ＣＰＵ２１はそのごみ収集カレンダー画面情報を表示部２５に例えば図３６に示すように週表示のごみ収集カレンダー画面３５０として出力する（ステップ３１１４）。
【０１５７】
図３６は、週表示のごみ収集カレンダー画面の例を示す図であり、週表示のごみ収集カレンダー画面３５０も表示形式選択画面に戻るボタン３５１を有する。
【０１５８】
利用者が表示形式選択画面に戻るボタンを選択しなかったときは、ごみ収集カレンダーの利用者端末による出力動作は終了する。
【０１５９】
このように本実施形態によれば、利用者端末２０はごみ収集カレンダーを年間表示、月表示及び週表示のいずれの表示形式の選択情報もサーバ１に送信し、当該サーバ１から選択された表示形式のごみ収集カレンダー画面情報を受信できるようにした。従って、利用者端末２０から利用者は、月表示のごみ収集カレンダーのみならず、年間表示のごみ収集カレンダーを見ることができ、先のスケジュール等を立てやすくなるなどの利便性が増加する。また、週表示ごみ収集カレンダーも出力させることができるので、例えば月表示のごみ収集カレンダーでは、とっさに今日がどの週か判らないときも曜日から簡単に今日出すごみ種別を判断できる。例えばお年寄りにも判りやすいごみ収集カレンダーとすることができる。
【０１６０】
更に年間表示、月表示及び週表示のごみ収集カレンダー情報を基となる収集可能な月の週情報及び曜日情報から合成でき、年間表示、月表示及び週表示の個別のデータをサーバ１の記憶部４に格納する必要がない。これにより効率的にごみ収集カレンダー情報を作成できる。
【０１６１】
次に図３７は、本発明の別の実施形態に係るサーバの記憶部に格納されたデータの内容例を説明する図である。
【０１６２】
例えば図１に示すようにサーバ（サーバ装置）１は、ＣＰＵ２、メモリ３、各種プログラムやデータを記憶する記憶部４、ネットワーク６との接続を処理する通信部５を有する。ここで、記憶部４は例えばサーバ１をＷｅｂサーバとして機能させるためのＷｅｂサーバプログラム７、ごみ収集カレンダー作成用のアプリケーションを提供するＷｅｂアプリケーション８や各種データ９を有する。
【０１６３】
各種データ９には、例えば図３７に示すようにごみ種別名称データ３０１、地区名称データ３０２、グループ名称データ３０３、祝日データ３０４、ごみ収集日（年月の週・曜日）データ３０５、ごみ収集カレンダー作成用画面データ３０６、ごみ収集カレンダーのテンプレート３０７、管理者データ４０１、地図データ４０２、ごみステーションデータ４０３、ごみステーション個別データ４０４、収集エリアデータ４０５及び収集エリア個別データ４０６を有する。
【０１６４】
管理者データ４０１は、管理者がサーバ１にアクセスし、ごみ出しナビゲータを開き多用なデータを管理者端末１０により、やり取りするために必要な認証情報、例えばユーザＩＤやパスワード等の情報である。
【０１６５】
地図データ４０２は、例えば後述する図４１の地図上の黒丸を除いた状態の地図情報をいい、道路や河川等の地理情報、更には町名等がデータ化されている。また、当該地図を細かいエリアに分けて、その地図情報に人口情報を含ませることもできる。勿論、人口情報も地図情報と別のレイヤーの情報としてそれらを組み合わせることもできる。
【０１６６】
更にごみステーションデータ４０３は、例えば地図情報の上のレイヤーに位置をキーとして形成される情報であり、後述する図４２の新規ごみステーション登録画面の登録ボタンが操作され、記憶部４のデータ９に記憶されたごみステーションの情報である。勿論、地図情報とその上のレイヤーのごみステーション情報とを位置をキーにして組む合わせた情報としてもよい。
【０１６７】
また、ごみステーション個別データ４０４は、個々のごみステーションの情報であり、例えば後述する図４１のごみステーション登録画面の新規登録ボタンを操作し、地図上の所定の位置をクリック等する。すると図４２のように、地図の横に名称、所在地、管理者及びコメント等を入力するボックスが現れる。そのボックスに入力され、その画面の登録ボタンを操作されて、記憶部４のデータ９に記憶された情報である。コメントは、例えば収集の順番やごみステーションが特別な場所にあるとか、更にはカラスよけのネットが設けてある等である。
【０１６８】
更に収集エリアデータ４０５は、例えば地図情報の上のレイヤーに位置をキーとして形成される情報であり、後述する図４５の新規収集エリア登録画面の登録ボタンが操作され、記憶部４のデータ９に記憶された収集地域の情報である。
【０１６９】
また、収集エリア個別データ４０６は、個々の収集地域の情報であり、例えば後述する図４４の収集エリア登録画面の新規登録ボタンを操作し、地図の道路等に沿って描画すると図４５のように地図の横に名称及びコメント等を入力するボックスが現れる。そのボックスに入力され、その画面の登録ボタンを操作されて、記憶部４のデータ９に記憶された情報である。
【０１７０】
この際、例えばごみステーションデータ４０３等は第２の選択情報として第１の選択情報としてのごみ収集日データ（例えば年月日、週や曜日）と関連付けられて（対応付けられて）、記憶部４にデータ９として記憶される。これにより、ごみ収集カレンダーを作成するときに夫々のデータから容易に関連のある情報を検索でき、地域ごとのごみ収集カレンダーを作成できる。
【０１７１】
次に、ごみ収集カレンダー情報を作成する動作を説明する。
【０１７２】
図３８は、別の実施形態のごみ種別登録に関するフローチャートである。
【０１７３】
まず管理者の操作により管理者端末１０は、Ｗｅｂブラウザ１７により通信部１４からネットワーク６を介してサーバ１にアクセスし、図示しない管理者認証画面の呼び出し情報をサーバ１に送信する。サーバ１のＣＰＵ２は、管理者認証画面呼び出し情報を通信部５を介して受信すると、Ｗｅｂアプリケーション８に記憶部４に格納されたごみ収集カレンダー作成用画面データ３０６等の中から管理者認証画面情報を読み出させ、通信部５から管理者端末１０へ送信させる。
【０１７４】
管理者端末１０のＣＰＵ１１は、サーバ１から送信された管理者認証画面情報を通信部１４を介して受信し、表示部１５に表示させる。管理者は例えば管理者認証画面中のユーザＩＤやパスワード等の認証ボックスに自分の認証情報を入力し、送信ボタンを操作する。
【０１７５】
するとＣＰＵ１１は、Ｗｅｂブラウザ１７により通信部１４から当該認証情報をサーバ１に送信させる（ステップ３８０１）。そしてサーバ１のＣＰＵ２は、当該認証情報を通信部５を介して受信する（ステップ３８０２）と、Ｗｅｂアプリケーション８に記憶部４に格納された管理者データ４０１を読み出させ、受信した認証情報と一致するか判断する（ステップ３８０３）。
【０１７６】
これにより、格納され登録された管理者データが受信した認証情報と一致しないと判断されたときは、ＣＰＵ２はエラー情報を通信部５から管理者端末１０に送信する。管理者端末１０のＣＰＵ１１は、Ｗｅｂブラウザ１７により通信部１４を介して当該エラー情報を受信したときは、そのエラー情報を表示部１５により出力する（ステップ３８０４）。そして管理者は、再度認証情報を管理者端末１０により入力し、サーバ１に送信することとなる。
【０１７７】
一方、ステップ３８０３でＣＰＵ２が受信した認証情報が一致すると判断したときは、ＣＰＵ２は、Ｗｅｂアプリケーション８により記憶部４に格納された管理者マスター登録一覧画面情報を読み出させ、通信部５から管理者端末１０に送信する（ステップ３８０５）。
【０１７８】
すると、管理者端末１０のＣＰＵ１１はＷｅｂブラウザ１７により通信部１４を介して当該管理者マスター登録一覧画面情報を受信させ、その情報を表示部１５により出力させる（ステップ３８０６）。
【０１７９】
そして、管理者端末１０のＣＰＵ１１は管理者が入力部１６によりごみ出しナビゲータを入力し選択したか否かを判断し（ステップ３８０７）、ごみ出しナビゲータを選択しない場合、例えば認証情報の入力画面に戻るを選択したと判断したときは、ステップ３８０１に戻る。
【０１８０】
これに対し、管理者端末１０のＣＰＵ１１は、ごみ出しナビゲータを選択したとその入力情報により判断したときは、その選択情報をＷｅｂブラウザ１７により通信部１４からサーバ１に送信させる（ステップ３８０８）。そしてサーバ１のＣＰＵ２は、当該ごみ出しナビゲータ選択情報を通信部５を介して受信する（ステップ３８０９）と、Ｗｅｂアプリケーション８に記憶部４に格納されたごみ収集カレンダー作成用画面データ３０６等からごみ出しナビゲータ画面情報を読み出させ、通信部５から管理者端末１０に送信させる（ステップ３８１０）。
【０１８１】
次に管理者端末１０のＣＰＵ１１は、サーバ１からごみ出しナビゲータ画面情報をＷｅｂブラウザ１７により通信部１４を介して受信し、ＣＰＵ１１はそのごみ出しナビゲータ画面情報を表示部１５に例えば図３に示すようにごみ出しナビゲータ画面３０として出力する（ステップ３８１１）。
【０１８２】
そして、管理者端末１０のＣＰＵ１１は、管理者が入力部１６によりごみ種別マスター登録３１を操作して入力し選択したか否かを判断し（ステップ３８１２）、ごみ種別マスター登録３１を選択しない場合、例えばＣＰＵ１１は他の登録、地域登録３２やグループ登録３３等を選択したとその入力情報により判断したとき（ステップ３８１３）は、夫々の選択情報を通信部１４を介してサーバ１に送信する。
【０１８３】
これに対し、管理者端末１０のＣＰＵ１１は、ごみ種別マスター登録３１を選択したとその入力情報により判断したときは、その選択情報をＷｅｂブラウザ１７により通信部１４からサーバ１に送信させる（ステップ３８１４）。そしてサーバ１のＣＰＵ２は、当該ごみ種別マスター登録の選択情報を通信部５を介して受信する（ステップ３８１５）と、Ｗｅｂアプリケーション８に記憶部４に格納されたごみ収集カレンダー作成用画面データ３０６等からごみ種別マスター登録画面情報を読み出させ、通信部５から管理者端末１０に送信させる（ステップ３８１６）。
【０１８４】
次に管理者端末１０のＣＰＵ１１は、サーバ１からごみ種別マスター登録画面情報をＷｅｂブラウザ１７により通信部１４を介して受信し、ＣＰＵ１１はそのごみ種別マスター登録画面情報を表示部１５に例えば図４に示すようにごみ種別マスター登録画面４０として出力する（ステップ３８１７）。
【０１８５】
そして、管理者端末１０のＣＰＵ１１は、管理者が入力部１６により新規登録ボタン４４を操作して入力し選択したか否かを判断し（ステップ３８１８）、新規登録を選択しない場合、例えばＣＰＵ１１がごみ出しナビゲータ画面に戻るが選択されたと判断したときは、ステップ３８０８に戻る。また、ＣＰＵ１１は、例えば変更ボタン４２が選択されたと管理者による入力により判断したとき（ステップ３８１９）は、Ｗｅｂブラウザ１７により当該選択情報を通信部１４を介してサーバ１に送信する。
【０１８６】
これに対し、管理者端末１０のＣＰＵ１１は、新規登録ボタン４４を選択したとその入力情報により判断したときは、その選択情報をＷｅｂブラウザ１７により通信部１４からサーバ１に送信させる（ステップ３８２０）。そしてサーバ１のＣＰＵ２は、当該ごみ種別マスター新規登録の選択情報を通信部５を介して受信する（ステップ３８２１）と、Ｗｅｂアプリケーション８に記憶部４に格納されたごみ収集カレンダー作成用画面データ３０６等からごみ種別マスター新規登録画面情報を読み出させ、通信部５から管理者端末１０に送信させる（ステップ３８２２）。
【０１８７】
すると管理者端末１０のＣＰＵ１１は、サーバ１からごみ種別マスター新規登録画面情報をＷｅｂブラウザ１７により通信部１４を介して受信し、ＣＰＵ１１はそのごみ種別マスター新規登録画面情報を表示部１５に例えば図５に示すようにごみ種別マスター新規登録画面５０として出力する（ステップ３８２３）。
【０１８８】
そして、管理者が例えばごみ種別マスター新規登録画面５０のごみ種名称入力ボックス５１、テキストカラー選択ボックス５２等にごみ種名称等を選択し、更に登録ボタン５４を選択し入力部１６により入力する。するとＣＰＵ１１は、その入力された選択情報をＷｅｂブラウザ１７により通信部１４からサーバ１に送信させる（ステップ３８２４）。そしてサーバ１のＣＰＵ２は、当該ごみ種名称や登録等の選択情報を通信部５を介して受信する（ステップ３８２５）と、Ｗｅｂアプリケーション８に記憶部４に格納されたごみ収集カレンダー作成用画面データ３０６等と当該新規登録の各選択情報とから新規登録内容の確認画面情報を合成させ、通信部５から管理者端末１０に送信させる（ステップ３８２６）。
【０１８９】
また、管理者端末１０のＣＰＵ１１は、サーバ１から新規登録内容の確認画面情報をＷｅｂブラウザ１７により通信部１４を介して受信し、ＣＰＵ１１はその確認画面情報を表示部１５に例えば図６に示すように確認画面６０として出力する（ステップ３８２７）。
【０１９０】
管理者が確認画面６０の登録ボタン６１を操作して選択すると、ＣＰＵ１１は入力部１６から入力された登録選択情報をＷｅｂブラウザ１７により通信部１４からサーバ１に送信させる（ステップ３８２８）。そしてサーバ１のＣＰＵ２は、当該登録選択情報を通信部５を介して受信する（ステップ３８２９）と、Ｗｅｂアプリケーション８に記憶部４にごみ種別名称データとしてごみ種名称、テキストの色及びコメント等を格納させる（ステップ３８３０）。
【０１９１】
更にサーバ１のＣＰＵ２はＷｅｂアプリケーション８に記憶部４に格納されたごみ収集カレンダー作成用画面データ３０６等から新規登録終了画面情報を読み出させ、通信部５から管理者端末１０に送信させる（ステップ３８３１）。
【０１９２】
また、管理者端末１０のＣＰＵ１１は、サーバ１から新規登録終了画面情報をＷｅｂブラウザ１７により通信部１４を介して受信し、ＣＰＵ１１はその新規登録終了画面情報を表示部１５に例えば図７に示すように新規登録終了画面７０として出力する（ステップ３８３２）。
【０１９３】
以上で新規ごみ種の登録が終了する。
【０１９４】
次に、ごみステーション登録による地域登録について説明する。
【０１９５】
図３９はごみステーション登録による地域登録のフローチャートである。
【０１９６】
まず、図３８のステップ３８３２により管理者端末１０の表示部１５に出力された新規登録終了画面７０のトップに戻るボタン７１が選択されると管理者端末１０のＣＰＵ１１は、そのごみ出しナビゲータ画面３０に戻る情報をＷｅｂブラウザ１７により通信部１４からサーバ１に送信させる（ステップ３９０１）。そしてサーバ１のＣＰＵ２は、当該ごみ出しナビゲータ画面３０に戻る情報を通信部５を介して受信する（ステップ３９０２）と、Ｗｅｂアプリケーション８に記憶部４に格納されたごみ収集カレンダー作成用画面データ３０６等からごみ出しナビゲータ画面情報を読み出させ、通信部５から管理者端末１０に送信させる（ステップ３９０３）。
【０１９７】
また、管理者端末１０のＣＰＵ１１は、サーバ１からごみ出しナビゲータ画面情報をＷｅｂブラウザ１７により通信部１４を介して受信し、ＣＰＵ１１はそのごみ出しナビゲータ画面情報を表示部１５に例えば図３に示すようにごみ出しナビゲータ画面３０として出力させる（ステップ３９０４）。
【０１９８】
そして、管理者端末１０のＣＰＵ１１は、管理者が入力部１６により地域登録３２を操作して入力し選択したか否かを判断し（ステップ３９０５）、地域登録を選択しない場合、例えばＣＰＵ１１がごみ出しナビゲータ画面に戻るが選択されたと判断したときは、ステップ３９０１に戻る。また、ＣＰＵ１１は他の登録、例えばグループ登録等が選択されたと管理者による入力により判断したとき（ステップ３９０６）は、Ｗｅｂブラウザ１７により当該選択情報を通信部１４を介してサーバ１に送信する。
【０１９９】
これに対し、管理者端末１０のＣＰＵ１１が、地域登録３２を選択したとその入力情報により判断したときは、その選択情報をＷｅｂブラウザ１７により通信部１４からサーバ１に送信させる（ステップ３９０７）。そしてサーバ１のＣＰＵ２は、当該地域登録の選択情報を通信部５を介して受信する（ステップ３９０８）と、Ｗｅｂアプリケーション８に記憶部４に格納されたごみ収集カレンダー作成用画面データ３０６等から地域登録方法の選択画面情報を読み出させ、通信部５から管理者端末１０に送信させる（ステップ３９０９）。
【０２００】
また、管理者端末１０のＣＰＵ１１は、サーバ１から地域登録方法の選択画面情報をＷｅｂブラウザ１７により通信部１４を介して受信し、ＣＰＵ１１はその地域登録方法の選択画面情報を表示部１５に、例えば図４０に示すように地域登録方法の選択画面４１０として出力させる（ステップ３９１０）。
【０２０１】
図４０は、地域登録方法の選択画面の例を示す図である。地域登録方法の選択画面４１０は、ごみ収集地域を予めサーバ１に登録する場合に、地域名称でするか、ごみステーション、或いは収集エリアでするか管理者に選択させるための画面である。
【０２０２】
また、地域登録方法の選択画面４１０には、選択項目として地域名称登録ボタン４１１、ごみ収集ステーション登録ボタン４１２、収集エリア登録ボタン４１３及びごみ出しナビゲータに戻るボタン４１４を有する。
【０２０３】
例えば、管理者端末１０のＣＰＵ１１は、地域登録方法の選択画面４１０で管理者が入力部１６により戻るボタン４１４を操作して入力したか判断し（ステップ３９１１）、戻るボタン４１４を操作して入力したと判断したときは、ステップ３９０１に戻る。また、ＣＰＵ１１は、戻るボタン４１４が管理者により操作されず入力されなかったと判断したときは、更にごみステーション登録ボタン４１２が操作され選択されたか判断する（ステップ３９１２）。
【０２０４】
ＣＰＵ１１が、ごみステーション登録ボタン４１２が操作されなかったと判断したときは、例えば地域名称登録ボタン４１１が選択され入力されたとき（ステップ３９１３）或は収集エリア登録ボタン４１３が選択され入力されたとき（ステップ３９１４）は夫々の選択情報がＷｅｂブラウザ１７により通信部１４を介してサーバ１に送信される。
【０２０５】
これに対し、管理者端末１０のＣＰＵ１１が、ごみステーション登録ボタン４１２を選択したとその入力情報により判断したときは、その選択情報をＷｅｂブラウザ１７により通信部１４からサーバ１に送信させる（ステップ３９１５）。そしてサーバ１のＣＰＵ２は、当該ごみステーション登録の選択情報を通信部５を介して受信する（ステップ３９１６）と、Ｗｅｂアプリケーション８に記憶部４に格納されたごみ収集カレンダー作成用画面データ３０６、地図データ４０２及びごみステーションデータ４０３等からごみステーション登録画面情報を合成させ、通信部５から管理者端末１０に送信させる（ステップ３９１７）。
【０２０６】
更に管理者端末１０のＣＰＵ１１は、サーバ１からごみステーション登録画面情報をＷｅｂブラウザ１７により通信部１４を介して受信し、ＣＰＵ１１はそのごみステーション登録画面情報を表示部１５に例えば図４１に示すようにごみステーション登録画面４２０として出力させる（ステップ３９１８）。
【０２０７】
図４１は、ごみステーション登録画面の例を示す図である。ごみステーション登録画面４２０は、ごみステーション４２１を予めサーバ１の記憶部４にごみステーションデータ４０３として格納し登録する場合に、管理者に新規ごみステーションを地図情報のレイヤーの上に位置をキーとして入力させるための画面である。尚、図４１の地図には黒丸が既に何箇所か登録されている状態を示している。
【０２０８】
また、ごみステーション登録画面４２０には所定の地図画面４２２と選択項目として地図画面上の対象領域を拡大させる拡大ボタン４２３、逆に縮小させる縮小ボタン４２４、対象領域を他へ移動させる移動ボタン４２５、ごみステーションを新規に登録する新規登録ボタン４２６を有する。更に地域登録方法選択に戻るボタン４２７及びごみ出しナビゲータに戻るボタン４２８を有する。
【０２０９】
管理者端末１０のＣＰＵ１１は、管理者が入力部１６により地域登録方法選択画面に戻るボタン４２７か、ごみ出しナビゲータに戻るボタン４２８を操作して入力されたか否かを判断する（ステップ３９１９）。例えば管理者が入力部１６により地域登録方法選択に戻るボタン４２７を操作して入力したとＣＰＵ１１が判断したときは、ステップ３９０７に戻る。また、ごみ出しナビゲータに戻るボタン４２８を操作して入力したときは、ステップ３９０１に戻る。
【０２１０】
これに対し、管理者端末１０のＣＰＵ１１は、管理者が新規登録ボタン４２６を選択し、新規ごみステーションとする地図画面４２２上の位置にクリック等により入力されたとその入力情報により判断したときは、その新規ごみステーション登録情報をＷｅｂブラウザ１７により通信部１４からサーバ１に送信させる（ステップ３９２０）。ここで、新規ごみステーション登録情報は、例えば新規ごみステーションを地図情報のレイヤーの上に位置をキーとして入力された情報である。
【０２１１】
そしてサーバ１のＣＰＵ２は、当該新規ごみステーション登録情報を通信部５を介して受信する（ステップ３９２１）と、Ｗｅｂアプリケーション８に記憶部４に格納されたごみ収集カレンダー作成用画面データ３０６、地図データ４０２及びごみステーションデータ４０３等を読み出させ、受信した新規ごみステーション登録情報とから新規ごみステーションが追加された合成情報を作成させる。更にＣＰＵ２は、その合成情報にＷｅｂアプリケーション８に記憶部４から読み出させたごみステーション個別情報入力画面情報を組み合わせて、通信部５から管理者端末１０に送信させる（ステップ３９２２）。
【０２１２】
すると管理者端末１０のＣＰＵ１１は、サーバ１から合成情報等をＷｅｂブラウザ１７により通信部１４を介して受信し、ＣＰＵ１１はその合成情報とごみステーション個別情報入力画面情報を表示部１５に例えば図４２に示すように新規ごみステーション登録画面４３０として出力させる（ステップ３９２３）。
【０２１３】
図４２は、新規ごみステーション登録画面の例を示す図である。新規ごみステーション登録画面４３０はごみステーション登録画面４２０で入力された新規ごみステーションを地図画面上から確認させると共に、当該新規ごみステーションの個別情報を入力させるための画面である。尚、図４２の地図画面には例えば黒丸が既に登録されているごみステーションであり、白丸が新規ごみステーションを示している。
【０２１４】
また、新規ごみステーション登録画面４３０には所定の地図画面４３１、その地図画面中の新規ごみステーション４３２、個別情報を入力するボックスとして新規ごみステーションの名称を入力する名称入力ボックス４３３を有する。更にその所在地を入力する所在地入力ボックス４３４、当該ごみステーションの管理者の情報、例えば管理者名を入力する管理者入力ボックス４３５、ごみステーションに関するコメントを入力するコメント入力ボックス４３６を有する。例えばこの新規ごみステーションにはカラス避けのガードが付けられていますというようなコメントが考えられる。また、新規ごみステーション登録画面４３０には、当該画面の条件で新規ごみステーション登録情報をサーバ１の記憶部４に格納させるための登録ボタン４３７及び前の画面（ごみステーション登録画面４２０）に戻って入力をやり直す戻るボタン４３８を有する。
【０２１５】
例えば管理者により各入力ボックスに夫々必要事項が入力され登録ボタン４３７が操作され、入力部１６により当該登録ボタン選択情報が入力されると、ＣＰＵ１１は当該ごみステーション個別情報及び登録ボタン選択情報をＷｅｂブラウザ１７により通信部１４からサーバ１に送信させる（ステップ３９２４）。
【０２１６】
するとサーバ１のＣＰＵ２は、当該ごみステーション個別情報及び登録ボタン選択情報を通信部５を介して受信する（ステップ３９２５）と、Ｗｅｂアプリケーション８に新規ごみステーション登録情報やごみステーション個別情報を地図データの地図情報と関連付けて記憶部４に例えばごみステーションデータ４０３及びごみステーション個別データ４０４に格納させる（ステップ３９２６）。これにより、ごみステーション登録情報が地図情報の上のレイヤーとして組み合わされごみ収集地域情報としてサーバ１に記憶されることとなる。
【０２１７】
そしてサーバ１のＣＰＵ２は、ごみステーション登録情報等が記憶部４に格納されるとステップ３９１７に戻り再度、管理者端末１０にごみステーション登録画面情報を通信部５から管理者端末１０に送信させる（ステップ３９１７）。以下ステップ３９２６まで同様な動作が繰り返され、管理者は必要な新規ごみステーションをサーバ１の記憶部４に格納させ登録できることとなる。
【０２１８】
ここで、必要な新規ごみステーションを全て登録したときは、例えば管理者がステップ３９１９で管理者端末１０の入力部１６に地域登録方法選択画面に戻るボタン４２６の選択情報を入力することにより、ステップ３９０７に戻り、更にステップ３９１２で他の登録方法を選択して地域名称登録や収集エリア登録へと進むことができる。
【０２１９】
また、ステップ３９１９で管理者端末１０の入力部１６にごみ出しナビゲータに戻るボタン４２７の選択情報を入力することにより、ステップ３９０１に戻り、更にステップ３９０５で他の登録を選択してグループ登録やごみ収集カレンダー登録等へと進むことができる。
【０２２０】
以上でごみステーション登録による地域登録についての説明を終了する。
【０２２１】
次に、収集エリア登録による地域登録について説明する。
【０２２２】
図４３は収集エリア登録による地域登録のフローチャートである。
【０２２３】
まず、例えば図３８のステップ３８３２により管理者端末１０の表示部１５に出力された新規登録終了画面７０のトップに戻るボタン７１が選択されると、管理者端末１０のＣＰＵ１１は、そのごみ出しナビゲータ画面３０に戻る情報をＷｅｂブラウザ１７により通信部１４からサーバ１に送信させる（ステップ３９０１）。以下ステップ３９１１まではごみステーション登録による地域登録と同様であるのでその説明を省略する。
【０２２４】
次に、ＣＰＵ１１は、地域登録方法の選択画面４１０の戻るボタン４１４が管理者により操作されず入力されなかったと判断したときは、更に収集エリア登録ボタン４１３が選択されたか判断し（ステップ４３０１）、例えば地域名称登録ボタン４１１が選択され入力されたとき（ステップ４３０２）或はごみステーション登録ボタン４１２が選択され入力されたとき（ステップ４３０３）は、夫々の選択情報がＷｅｂブラウザ１７により通信部１４を介してサーバ１に送信される。
【０２２５】
これに対し、管理者端末１０のＣＰＵ１１が、収集エリア登録ボタン４１３を選択したとその入力情報により判断したときは、その選択情報をＷｅｂブラウザ１７により通信部１４からサーバ１に送信させる（ステップ４３０４）。そしてサーバ１のＣＰＵ２は、当該収集エリア登録の選択情報を通信部５を介して受信する（ステップ４３０５）と、Ｗｅｂアプリケーション８に記憶部４に格納されたごみ収集カレンダー作成用画面データ３０６、地図データ４０２及び収集エリアデータ４０５等から収集エリア登録画面情報を合成させ、通信部５から管理者端末１０に送信させる（ステップ４３０６）。
【０２２６】
更に管理者端末１０のＣＰＵ１１は、サーバ１から収集エリア登録画面情報をＷｅｂブラウザ１７により通信部１４を介して受信し、ＣＰＵ１１はその収集エリア登録画面情報を表示部１５に例えば図４４に示すように収集エリア登録画面４４０として出力させる（ステップ４３０７）。
【０２２７】
図４４は、収集エリア登録画面の例を示す図である。収集エリア登録画面４４０は、収集エリアを予めサーバ１の記憶部４に、収集エリアデータ４０５として格納し登録する場合に、管理者に新規収集エリアを地図情報のレイヤーの上に位置をキーとして入力させるための画面である。
【０２２８】
また、収集エリア登録画面４４０には所定の地図画面４４２と選択項目として地図画面上の対象領域を拡大させる拡大ボタン４４３、逆に縮小させる縮小ボタン４４４、対象領域を他へ移動させる移動ボタン４４５、収集エリアを新規に登録する新規登録ボタン４４６を有する。更に地域登録方法選択に戻るボタン４４７及びごみ出しナビゲータに戻るボタン４４８を有する。
【０２２９】
ステップ４３０７の後、管理者端末１０のＣＰＵ１１は、管理者が入力部１６により地域登録方法選択画面に戻るボタン４４７か、ごみ出しナビゲータに戻るボタン４４８を操作して入力されたか否かを判断し（ステップ４３０８）、管理者が入力部１６により地域登録方法選択に戻るボタン４４７を操作して入力したときは、ステップ３９０７に戻る。また、ごみ出しナビゲータに戻るボタン４４８を操作して入力したときは、ステップ３９０１に戻る。
【０２３０】
これに対し、管理者端末１０のＣＰＵ１１は、管理者が新規登録ボタン４４６を選択し、新しい収集エリアを地図画面４４２上に描画し入力されたと、その入力情報により判断したときは、その新規収集エリア登録情報をＷｅｂブラウザ１７により通信部１４からサーバ１に送信させる（ステップ４３０９）。ここで、新規収集エリア登録情報は、例えば新規収集エリアを地図情報のレイヤーの上に位置をキーとして入力された情報である。
【０２３１】
そしてサーバ１のＣＰＵ２は、当該新規収集エリア登録情報を通信部５を介して受信する（ステップ４３１０）と、Ｗｅｂアプリケーション８に記憶部４に格納されたごみ収集カレンダー作成用画面データ３０６、地図データ４０２及び収集エリアデータ４０５等を読み出させ、受信した新規収集エリア登録情報とから新規収集エリアが追加された合成情報を作成させる。更にＣＰＵ２は、その合成情報にＷｅｂアプリケーション８に記憶部４から読み出させた収集エリア個別情報入力画面情報を組み合わせて、通信部５から管理者端末１０に送信させる（ステップ４３１１）。
【０２３２】
すると管理者端末１０のＣＰＵ１１は、サーバ１から合成情報等をＷｅｂブラウザ１７により通信部１４を介して受信し、ＣＰＵ１１はその合成情報と収集エリア個別情報入力画面情報を表示部１５に例えば図４５に示すように新規収集エリア登録画面４５０として出力させる（ステップ４３１２）。
【０２３３】
図４５は、新規収集エリア登録画面の例を示す図である。新規収集エリア登録画面４５０は、収集エリア登録画面４４０で入力された新規収集エリアを地図画面上から確認させると共に、当該新規収集エリアの個別情報を入力させるための画面である。尚、図４５の地図画面は、例えば黒塗りエリアが新規収集エリア４５１を示している。
【０２３４】
また、新規収集エリア登録画面４５０には所定の地図画面４５２、その地図画面中の新規収集エリア４５１、個別情報を入力するボックスとして新規収集エリアの名称を入力する名称入力ボックス４５３を有する。更にその新規収集エリアに関するコメントを入力するコメント入力ボックス４５４を有する。また、新規収集エリア登録画面４５０には、当該画面の条件で新規収集エリア登録情報をサーバ１の記憶部４に格納させるための登録ボタン４５５及び前の画面（収集エリア登録画面４４０）に戻って入力をやり直す戻るボタン４５６を有する。
【０２３５】
例えば管理者により各入力ボックスに夫々必要事項が入力され登録ボタン４５５が操作され、入力部１６により当該登録ボタン選択情報が入力されると、ＣＰＵ１１は当該収集エリア個別情報及び登録ボタン選択情報をＷｅｂブラウザ１７により通信部１４からサーバ１に送信させる（ステップ４３１３）。
【０２３６】
するとサーバ１のＣＰＵ２は、当該収集エリア個別情報及び登録ボタン選択情報を通信部５を介して受信する（ステップ４３１４）と、Ｗｅｂアプリケーション８に新規収集エリア登録情報や収集エリア個別情報を地図データの地図情報と関連付けて記憶部４に例えば収集エリアデータ４０５及び収集エリア個別データ４０６に格納させる（ステップ４３１５）。これにより、収集エリア登録情報が地図情報の上のレイヤーとして組み合わされ、ごみ収集地域情報としてサーバ１に記憶されることとなる。
【０２３７】
そしてサーバ１のＣＰＵ２は、収集エリア登録情報等が記憶部４に格納されるとステップ４３０６に戻り、再度、収集エリア登録画面情報を通信部５から管理者端末１０に送信させる（ステップ４３０６）。以下ステップ４３１５まで同様な動作が繰り返され、管理者は、必要な新規収集エリアをサーバ１の記憶部４に格納させ登録できることとなる。
【０２３８】
ここで、必要な新規収集エリアを全て登録したときは、例えば管理者がステップ４３０８で管理者端末１０の入力部１６に地域登録方法選択画面に戻るボタン４４７の選択情報を入力することにより、ステップ３９０７に戻り、更にステップ４３０１で他の登録方法を選択して地域名称登録やごみステーション登録へと進むことができる。
【０２３９】
また、ステップ４３０８で管理者が、管理者端末１０の入力部１６にごみ出しナビゲータに戻るボタン４４８の選択情報を入力することにより、ステップ３９０１に戻り、更にステップ３９０５で他の登録を選択してグループ登録やごみ収集カレンダー登録等へと進むことができる。
【０２４０】
以上で収集エリア登録による地域登録についての説明を終了する。
【０２４１】
次に、地域名称登録による地域登録についての説明をする。
【０２４２】
図４６は地域名称登録による地域登録のフローチャートである。
【０２４３】
まず、例えば図３８のステップ３８３２により管理者端末１０の表示部１５に出力された新規登録終了画面７０のトップに戻るボタン７１が選択されると、管理者端末１０のＣＰＵ１１は、そのごみ出しナビゲータ画面３０に戻る情報をＷｅｂブラウザ１７により通信部１４からサーバ１に送信させる（ステップ３９０１）。以下ステップ３９１１まではごみステーション登録による地域登録と同様であるのでその説明を省略する。
【０２４４】
次に、ＣＰＵ１１は、地域登録方法の選択画面４１０の戻るボタン４１４が管理者により操作されず入力されなかったと判断したときは、更に地域名称登録ボタン４１１が選択されたか判断し（ステップ４６０１）、例えばごみステーション登録ボタン４１２が選択され入力されたとき（ステップ４６０２）或は収集エリア登録ボタン４１３が選択され入力されたとき（ステップ４６０３）は夫々の選択情報がＷｅｂブラウザ１７により通信部１４を介してサーバ１に送信される。
【０２４５】
これに対し、管理者端末１０のＣＰＵ１１は、管理者が地域名称登録ボタン４１１を選択したとその入力情報により判断したときは、その選択情報をＷｅｂブラウザ１７により通信部１４からサーバ１に送信させる（ステップ４６０４）。そしてサーバ１のＣＰＵ２は、当該地域名称登録の選択情報を通信部５を介して受信する（ステップ４６０５）と、Ｗｅｂアプリケーション８に記憶部４に格納された地区名称データ３０２やごみ収集カレンダー作成用画面データ３０６等から地域登録画面情報を合成させ、通信部５から管理者端末１０に送信させる（ステップ４６０６）。
【０２４６】
更に管理者端末１０のＣＰＵ１１は、サーバ１から地域登録画面情報をＷｅｂブラウザ１７により通信部１４を介して受信し、ＣＰＵ１１はその地域登録画面情報を表示部１５に例えば図９に示すように地域登録画面９０として出力させる（ステップ４６０７）。
【０２４７】
また、管理者端末１０のＣＰＵ１１は、管理者が新規登録ボタン９６を操作し選択したときは、その新規登録選択情報をＷｅｂブラウザ１７により通信部１４からサーバ１に送信させる（ステップ４６０８）。
【０２４８】
そしてサーバ１のＣＰＵ２は、当該新規登録選択情報を通信部５を介して受信する（ステップ４６０９）と、Ｗｅｂアプリケーション８に記憶部４に格納されたごみ収集カレンダー作成用画面データ３０６等から地域新規登録画面情報を読み出させ、通信部５から管理者端末１０に送信させる（ステップ４６１０）。
【０２４９】
すると管理者端末１０のＣＰＵ１１は、サーバ１から地域新規登録画面情報をＷｅｂブラウザ１７により通信部１４を介して受信し、ＣＰＵ１１はその地域新規登録画面情報を表示部１５に例えば図１０に示すように地域新規登録画面１００として出力させる（ステップ４６１１）。
【０２５０】
そして管理者が地域新規登録画面１００へ地域名称及び地域かなを入力し、更に登録ボタン１０３が操作すると、管理者端末１０のＣＰＵ１１は、これらの入力部１６を介して入力された地域名称情報等や登録ボタン選択情報をＷｅｂブラウザ１７により通信部１４からサーバ１に送信させる（ステップ４６１２）。
【０２５１】
サーバ１のＣＰＵ２は、当該地域名称情報等や登録ボタン選択情報を通信部５を介して受信する（ステップ４６１３）と、Ｗｅｂアプリケーション８に記憶部４に格納されたごみ収集カレンダー作成用画面データ３０６等から確認画面情報を合成させ、通信部５から管理者端末１０に送信させる（ステップ４６１４）。
【０２５２】
すると管理者端末１０のＣＰＵ１１は、サーバ１から確認画面情報をＷｅｂブラウザ１７により通信部１４を介して受信し、ＣＰＵ１１はその確認画面情報を表示部１５に出力させる（ステップ４６１５）。
【０２５３】
そして管理者が再度、確認画面で登録ボタンを操作すると、管理者端末１０のＣＰＵ１１は、入力部１６を介して入力された登録ボタン選択情報をＷｅｂブラウザ１７により通信部１４からサーバ１に送信させる（ステップ４６１６）。
【０２５４】
これに対しサーバ１のＣＰＵ２は、当該登録ボタン選択情報を通信部５を介して受信する（ステップ４６１７）と、Ｗｅｂアプリケーション８に記憶部４に新規地域名称及び地域かなを例えば地区名称データ３０２として格納する（ステップ４６１８）。格納後、サーバ１のＣＰＵ２は、Ｗｅｂアプリケーション８に記憶部４に格納されたごみ収集カレンダー作成用画面データ３０６等から新規登録終了画面情報を合成させ、通信部５から管理者端末１０に送信させる。
【０２５５】
すると管理者端末１０のＣＰＵ１１は、サーバ１から新規登録終了画面情報をＷｅｂブラウザ１７により通信部１４を介して受信し、ＣＰＵ１１はその新規登録終了画面情報を表示部１５に出力させる。
【０２５６】
そして、管理者端末１０のＣＰＵ１１は、管理者が入力部１６により当該新規登録終了画面の地域登録方法選択画面に戻るボタンを操作して入力されたか否かを判断し（ステップ４６１９）、地域登録方法選択に戻るボタンを操作して入力したと判断しときは、ステップ３９０７に戻る。
【０２５７】
これに対し、管理者端末１０のＣＰＵ１１が、ごみ出しナビゲータ画面に戻るボタンが操作され入力されたとその入力情報により判断したときは、ステップ３９０１に戻る。
【０２５８】
以上で地域名称登録による地域登録についての説明を終了する。
【０２５９】
次に、ごみステーション選択によるごみ収集カレンダー登録について説明する。
【０２６０】
図４７はごみステーション選択によるごみ収集カレンダー登録のフローチャートである。
【０２６１】
まず、例えば図３９のごみステーション登録による地域登録のフローチャートのステップ３９１９により、管理者端末１０の表示部１５に出力されたごみステーション登録画面４２０のごみ出しナビゲータに戻るボタン４２８が選択されると、管理者端末１０のＣＰＵ１１は、そのごみ出しナビゲータ画面３０に戻る情報をＷｅｂブラウザ１７により通信部１４からサーバ１に送信させる（ステップ４７０１）。そしてサーバ１のＣＰＵ２は、当該ごみ出しナビゲータ画面３０に戻る情報を通信部５を介して受信する（ステップ４７０２）と、Ｗｅｂアプリケーション８に記憶部４に格納されたごみ収集カレンダー作成用画面データ３０６等からごみ出しナビゲータ画面情報を読み出させ、通信部５から管理者端末１０に送信させる（ステップ４７０３）。
【０２６２】
また、管理者端末１０のＣＰＵ１１は、サーバ１からごみ出しナビゲータ画面情報をＷｅｂブラウザ１７により通信部１４を介して受信し、ＣＰＵ１１はそのごみ出しナビゲータ画面情報を表示部１５に例えば図３に示すようにごみ出しナビゲータ画面３０として出力させる（ステップ４７０４）。
【０２６３】
そして、管理者端末１０のＣＰＵ１１は管理者が入力部１６によりごみ収集カレンダー登録３５を操作して入力し選択したか否かを判断し（ステップ４７０５）、ごみ収集カレンダー登録を選択しない場合、例えばＣＰＵ１１がごみ出しナビゲータ画面に戻るが選択されたと判断したときは、ステップ４７０１に戻る。また、ＣＰＵ１１は他の登録、例えばカレンダー用祝日登録等が選択されたと管理者による入力により判断したとき（ステップ４７０６）は、Ｗｅｂブラウザ１７により当該選択情報を通信部１４を介してサーバ１に送信する。
【０２６４】
これに対し、管理者端末１０のＣＰＵ１１が、ごみ収集カレンダー登録３５を選択したとその入力情報により判断したときは、その選択情報をＷｅｂブラウザ１７により通信部１４からサーバ１に送信させる（ステップ４７０７）。そしてサーバ１のＣＰＵ２は、当該ごみ収集カレンダー登録の選択情報を通信部５を介して受信する（ステップ４７０８）と、Ｗｅｂアプリケーション８に記憶部４に格納されたごみ収集カレンダー作成用画面データ３０６等からごみ収集カレンダー登録画面情報を読み出させ、通信部５から管理者端末１０に送信させる（ステップ４７０９）。
【０２６５】
また、管理者端末１０のＣＰＵ１１は、サーバ１からごみ収集カレンダー登録画面情報をＷｅｂブラウザ１７により通信部１４を介して受信し、ＣＰＵ１１はそのごみ収集カレンダー登録画面情報を表示部１５に例えば図１６に示すようにごみ収集カレンダー登録画面１６０として出力させる（ステップ４７１０）。
【０２６６】
すると、管理者端末１０のＣＰＵ１１は、ごみ収集カレンダー登録画面１６０で管理者が入力部１６によりごみ収集日の週単位登録画面へ１６１を操作して入力したか判断する（ステップ４７１１）。また、ＣＰＵ１１は、ごみ収集日の週単位登録画面へ１６１が管理者により操作されず入力されなかったと判断したとき、例えば週単位確認画面へ１６４等が選択され入力されたとき（ステップ４７１２）は、その選択情報がＷｅｂブラウザ１７により通信部１４を介してサーバ１に送信される。更に例えばごみ出しナビゲータに戻るボタン１６５が選択され入力されたと判断したときは、ステップ４７０１に戻る。
【０２６７】
これに対し、管理者端末１０のＣＰＵ１１が、週単位登録画面へ１６１を選択したとその入力情報により判断したときは、その選択情報をＷｅｂブラウザ１７により通信部１４からサーバ１に送信させる（ステップ４７１３）。そしてサーバ１のＣＰＵ２は、当該週単位登録の選択情報を通信部５を介して受信する（ステップ４７１４）と、Ｗｅｂアプリケーション８に記憶部４に格納されたごみ収集カレンダー作成用画面データ３０６等から週単位登録画面情報を読み出させ、通信部５から管理者端末１０に送信させる（ステップ４７１５）。
【０２６８】
更に管理者端末１０のＣＰＵ１１は、サーバ１から週単位登録画面情報をＷｅｂブラウザ１７により通信部１４を介して受信し、ＣＰＵ１１はその週単位登録画面情報を表示部１５に例えば図４８に示すようにごみ収集日の週単位登録画面４６０として出力させる（ステップ４７１６）。
【０２６９】
図４８は、ごみ収集日の週単位登録画面の例を示す図である。ごみ収集日の週単位登録画面４６０は、サーバ１によりごみ種別情報、ごみ収集可能な月の週情報及び曜日情報の各情報を夫々対応付けて選択可能に編集された第１の編集情報であり、この画面に入力された情報が第１の選択情報となり、後述する地図上で選択されたごみステーションという第２の選択情報と対応付けられることとなる。
【０２７０】
ここで、ごみ収集日の週単位登録画面４６０には、入力フォームとして、ごみ種別を入力するごみ種別入力ボックス４６１、ごみ収集カレンダーの開始日を入力する開始日入力ボックス４６２、ごみ収集カレンダーの終了日を入力する終了日入力ボックス４６３、ごみ収集カレンダーから除外する日の開始日を入力する除外日開始日入力ボックス４６４、ごみ収集カレンダーから除外する日の終了日を入力する除外終了日入力ボックス４６５、月のなかの週を選択する週選択チェックボックス４６６、曜日を選択する曜日選択チェックボックス４６７を有している。また、ボタンとしては、地域登録画面９０を呼び出すための地域名称選択ボタン４６８、ごみステーション選択画面を呼び出すためのごみステーション選択ボタン４６９、収集エリア選択画面を呼び出すための収集エリア選択ボタン４７０、ごみ出しナビゲータ画面３０に戻るためのトップに戻るボタン４７１及び入力フォームを初期化するリセットボタン４７２等が設けられている。
【０２７１】
例えば、管理者端末１０のＣＰＵ１１は、ごみ収集日の週単位登録画面４６０で管理者が入力部１６によりトップに戻る（ごみ出しナビゲータ画面に戻る）ボタン４７１を操作して入力されたか判断し（ステップ４７１７）、戻るボタン４７１を操作して入力されたと判断したときは、ステップ４７０１に戻る。
【０２７２】
また、管理者端末１０のＣＰＵ１１は、トップに戻るボタン４７１が管理者により操作されず入力されなかったと判断し、管理者が上記ごみ収集日の週単位登録画面４６０の入力フォームに所定情報が入力されたときは、その所定情報がＷｅｂブラウザ１７により通信部１４を介してサーバ１に送信される（ステップ４７１８）。そしてサーバ１のＣＰＵ２は、当該所定情報を通信部５を介して受信する（ステップ４７１９）。
【０２７３】
更に管理者端末１０のＣＰＵ１１は、管理者が所定情報を入力した後、第１の選択情報としての当該所定情報と対応付けるべき第２の選択情報となる地域情報の選択方法としてごみステーション選択方法を選択したかをそのごみステーション選択ボタン４６９への入力により判断する（ステップ４７２０）。
【０２７４】
ＣＰＵ１１は、ごみステーション選択ボタン４６９が操作されなかったとその入力情報により判断したとき、例えば地域名称選択ボタン４６８が選択され入力されたとき（ステップ４７２１）、或は収集エリア選択ボタン４７０が選択され入力されたとき（ステップ４７２２）は夫々の選択情報がＷｅｂブラウザ１７により通信部１４を介してサーバ１に送信される。そして、例えば地域名称選択方法の選択情報が通信部５により受信されときは、ＣＰＵ２は管理者端末１０にＷｅｂアプリケーション８により記憶部４から地域登録画面情報が読み出され、通信部５から管理者端末１０に送信される。以降の地域名称選択方法による動作は前述した実施形態と略同様である。
【０２７５】
これに対し、管理者端末１０のＣＰＵ１１が、ごみステーション選択ボタン４６９を選択したとその入力情報により判断したときは、その選択情報をＷｅｂブラウザ１７により通信部１４からサーバ１に送信させる（ステップ４７２３）。そしてサーバ１のＣＰＵ２は、当該ごみステーション選択方法の選択情報を通信部５を介して受信する（ステップ４７２４）と、Ｗｅｂアプリケーション８に記憶部４に格納されたごみ収集カレンダー作成用画面データ３０６、地図データ４０２及びごみステーションデータ４０３等からごみステーション選択画面情報を合成させ、通信部５から管理者端末１０に送信させる（ステップ４７２５）。
【０２７６】
更に管理者端末１０のＣＰＵ１１は、サーバ１からごみステーション選択画面情報をＷｅｂブラウザ１７により通信部１４を介して受信し、ＣＰＵ１１はそのごみステーション選択画面情報を表示部１５に例えば図４９に示すようにごみステーション選択画面４８０として出力させる（ステップ４７２６）。ただし、この状態ではまだ図４９中の白丸表示やごみステーション名称ボックス４８８等のごみステーション個別情報はごみステーション選択画面４８０には表示されていない。
【０２７７】
図４９は、ごみステーション選択画面の例を示す図である。ごみステーション選択画面４８０は、既にごみステーションとしてサーバ１の記憶部４に格納されたごみステーションを地図上に表示すると共に、その中から所定のごみステーションを選択させるための画面である。尚、例えば図４９の地図の黒丸が登録されているごみステーション４８１であり、白丸がごみステーション選択画面４８０で選択されたごみステーション４８２である。
【０２７８】
また、ごみステーション選択画面４８０には所定の地図画面４８３と選択項目として地図画面上の対象領域を拡大させる拡大ボタン４８４、逆に縮小させる縮小ボタン４８５、対象領域を他へ移動させる移動ボタン４８６、ごみステーションを選択するごみステーション選択ボタン４８７を有する。
【０２７９】
そしてごみステーション選択画面４８０には、ごみステーション選択ボタン４８７が操作され、地図上のいずれかのごみステーションが選択されると、表示されるごみステーション個別情報として、ごみステーション名称ボックス４８８とその解除ボタン４８９が現れる。また、ごみステーション選択画面４８０には、ごみ収集日の週単位登録画面４６０の上記所定情報とごみステーション情報とを対応付けてサーバ１の記憶部４に格納させるための登録ボタン４９０及び前の画面（ごみ収集日の週単位登録画面４６０）に戻って入力をやり直す戻るボタン４９１を有する。
【０２８０】
管理者端末１０のＣＰＵ１１が、ごみステーション選択ボタン４８７を選択し、地図画面４８３上の予め登録されたごみステーション４８１のいずれかをクリック等により選択されたと、その入力情報により判断したときは、そのごみステーション選択情報をＷｅｂブラウザ１７により通信部１４からサーバ１に送信させる（ステップ４７２７）。
【０２８１】
そしてサーバ１のＣＰＵ２は、当該ごみステーション選択情報を通信部５を介して受信する（ステップ４７２８）と、Ｗｅｂアプリケーション８に記憶部４に格納されたごみ収集カレンダー作成用画面データ３０６及びごみステーションデータ４０３等を読み出させ、受信したごみステーション選択情報とから合成情報を作成させる。更にＣＰＵ２は、その合成情報にＷｅｂアプリケーション８に記憶部４から読み出させたごみステーション個別情報画面情報を組み合わせて、通信部５から管理者端末１０に送信させる（ステップ４７２９）。
【０２８２】
すると管理者端末１０のＣＰＵ１１は、サーバ１から合成情報等をＷｅｂブラウザ１７により通信部１４を介して受信し、ＣＰＵ１１はその合成情報とごみステーション個別情報画面情報を表示部１５に例えば図４９に示すようにごみステーション選択画面４８０として出力させる（ステップ４７３０）。このときには、図４９中に白丸表示やごみステーション名称ボックス４８８等のごみステーション個別情報はごみステーション選択画面４８０に表示されている。
【０２８３】
例えば管理者により登録ボタン４９０が操作され、入力部１６により当該登録ボタン選択情報が入力されると、ＣＰＵ１１は当該登録ボタン選択情報をＷｅｂブラウザ１７により通信部１４からサーバ１に送信させる（ステップ４７３１）。
【０２８４】
するとサーバ１のＣＰＵ２は、当該登録ボタン選択情報を通信部５を介して受信する（ステップ４７３２）と、Ｗｅｂアプリケーション８により上記所定情報と選択されたごみステーション情報とを関連付けて夫々記憶部４に例えばごみ種別名称データ３０１やごみ収集日データ３０５、ごみステーションデータ４０３等に格納させる（ステップ４７３３）。これにより、選択されたごみステーション情報が第２の選択情報として第１の選択情報であるごみ収集日の週単位登録画面４６０に入力された所定情報と対応付けられサーバ１に記憶されることとなる。
【０２８５】
そしてサーバ１のＣＰＵ２は、ごみステーション情報等が記憶部４に格納されるとステップ４７１５に戻り再度、管理者端末１０にごみ収集日の週単位登録画面情報を通信部５から管理者端末１０に送信させる（ステップ４７１５）。以下ステップ４７３３まで同様な動作が繰り返され、管理者は必要な種々の所定情報に夫々ごみステーションを選択し対応付けてサーバ１の記憶部４に格納させ登録できることとなる。
【０２８６】
ここで、ごみステーションを全て所定情報に対応付けたときは、例えば管理者がステップ４７１７で管理者端末１０の入力部１６にごみ出しナビゲータに戻るボタン４７１の選択情報を入力することにより、ステップ４７０１に戻り、更にステップ４７０５で他の登録を選択してカレンダー用祝日登録等へと進むことができる。また、ごみ出しナビゲータ画面３０で更にトップページに戻るボタンを操作して管理者マスター登録一覧画面に戻り、ログアウトボタンを操作して全ての操作を終了させることができる。
【０２８７】
以上でごみステーション選択によるごみ収集カレンダー登録についての説明を終了する。
【０２８８】
次に、収集エリア選択によるごみ収集カレンダー登録について説明する。
【０２８９】
図５０は収集エリア登録による地域登録のフローチャートである。
【０２９０】
まず、例えば図４３の収集エリア登録による地域登録のフローチャートのステップ４３０８により、管理者端末１０の表示部１５に出力された収集エリア登録画面４４０のごみ出しナビゲータに戻るボタン４４８が選択されると、管理者端末１０のＣＰＵ１１は、そのごみ出しナビゲータ画面３０に戻る情報をＷｅｂブラウザ１７により通信部１４からサーバ１に送信させる（ステップ４７０１）。以下ステップ４７１９まではごみステーション選択によるごみ収集カレンダー登録と同様であるのでその説明を省略する。
【０２９１】
更に管理者端末１０のＣＰＵ１１は、管理者が所定情報を入力した後、第１の選択情報としての当該所定情報と対応付けるべき第２の選択情報となる地域情報の選択方法として収集エリア選択方法を選択したかをその収集エリア選択ボタン４７０への入力により判断する（ステップ５００１）。
【０２９２】
ＣＰＵ１１は、収集エリア選択ボタン４７０が操作されなかったとその入力情報により判断したとき、例えば地域名称選択ボタン４６８が選択され入力されたとき（ステップ５００２）或はごみステーション選択ボタン４６９が選択され入力されたとき（ステップ５００３）は夫々の選択情報がＷｅｂブラウザ１７により通信部１４を介してサーバ１に送信される。
【０２９３】
これに対し、管理者端末１０のＣＰＵ１１が、収集エリア選択ボタン４７０を選択したとその入力情報により判断したときは、その選択情報をＷｅｂブラウザ１７により通信部１４からサーバ１に送信させる（ステップ５００４）。そしてサーバ１のＣＰＵ２は、当該収集エリア選択方法の選択情報を通信部５を介して受信する（ステップ５００５）と、Ｗｅｂアプリケーション８に記憶部４に格納されたごみ収集カレンダー作成用画面データ３０６、地図データ４０２及び収集エリアデータ４０５等から収集エリア選択画面情報を合成させ、通信部５から管理者端末１０に送信させる（ステップ５００６）。
【０２９４】
更に管理者端末１０のＣＰＵ１１は、サーバ１から収集エリア選択画面情報をＷｅｂブラウザ１７により通信部１４を介して受信し、ＣＰＵ１１はその収集エリア選択画面情報を表示部１５に例えば図５１に示すように収集エリア選択画面５００として出力させる（ステップ５００７）。ただし、この状態ではまだ図５１中の黒塗り領域表示や収集エリア名称ボックス等の収集エリア個別情報は収集エリア選択画面５００には表示されていない。
【０２９５】
図５１は、収集エリア選択画面の例を示す図である。収集エリア選択画面５００は、地図上に所定の収集エリアを、ごみ収集日の週単位登録画面４６０に入力された所定情報と、対応付けて選択させるための画面である。尚、例えば図５１の地図の黒塗り領域が収集エリア選択画面５００で選択された収集エリア５０１である。
【０２９６】
また、収集エリア選択画面５００には所定の地図画面５０２と選択項目として地図画面上の対象領域を拡大させる拡大ボタン５０３、逆に縮小させる縮小ボタン５０４、対象領域を他へ移動させる移動ボタン５０５、収集エリアを選択する収集エリア選択ボタン５０６を有する。
【０２９７】
そして収集エリア選択画面５００には、収集エリア選択ボタン５０６が操作され、地図上のいずれかの収集エリア（この段階では、図面上例えば夫々の収集エリアの境界線が表示されるだけで図５１のように黒塗り領域表示されていない）が選択されると、収集エリア個別情報として収集エリア名称ボックス５０７とその解除ボタン５０８が表示される。また、収集エリア選択画面５００は、上記所定情報と収集エリア情報とを対応付けてサーバ１の記憶部４に格納させるための登録ボタン５０９及び前の画面（ごみ収集日の週単位登録画面４６０）に戻って入力をやり直す戻るボタン５１０を有する。
【０２９８】
管理者端末１０のＣＰＵ１１は、管理者が収集エリア選択ボタン５０６を選択し、地図画面５０２上の予め登録された収集エリアのいずれかをクリック等により選択されたと、その入力情報により判断したときは、その収集エリア選択情報をＷｅｂブラウザ１７により通信部１４からサーバ１に送信させる（ステップ５００８）。
【０２９９】
そしてサーバ１のＣＰＵ２は、当該収集エリア選択情報を通信部５を介して受信する（ステップ５００９）と、Ｗｅｂアプリケーション８に記憶部４に格納されたごみ収集カレンダー作成用画面データ３０６及び収集エリアデータ４０５等を読み出させ、受信した収集エリア選択情報とから合成情報を作成させる。更にＣＰＵ２は、その合成情報にＷｅｂアプリケーション８に記憶部４から読み出させた収集エリア個別情報画面情報を組み合わせて、通信部５から管理者端末１０に送信させる（ステップ５０１０）。
【０３００】
すると管理者端末１０のＣＰＵ１１は、サーバ１から合成情報等をＷｅｂブラウザ１７により通信部１４を介して受信し、ＣＰＵ１１はその合成情報と収集エリア個別情報画面情報を表示部１５に例えば図５１に示すように収集エリア選択画面５００として出力させる（ステップ５０１１）。このときには、図５１中に黒塗り領域表示や収集エリア名称ボックス５０７等の収集エリア個別情報は収集エリア選択画面５００に表示されている。
【０３０１】
ここで、例えば管理者により登録ボタン５０９が操作され、入力部１６により当該登録ボタン選択情報が入力されると、ＣＰＵ１１は当該登録ボタン選択情報をＷｅｂブラウザ１７により通信部１４からサーバ１に送信させる（ステップ５０１２）。
【０３０２】
するとサーバ１のＣＰＵ２は、当該登録ボタン選択情報を通信部５を介して受信する（ステップ５０１３）と、Ｗｅｂアプリケーション８により上記所定情報と選択された収集エリア情報とを関連付けて夫々記憶部４に、例えばごみ種別名称データ３０１やごみ収集日データ３０５、収集エリアデータ４０５等に格納させる（ステップ５０１４）。これにより、選択された収集エリア情報が第２の選択情報として第１の選択情報であるごみ収集日の週単位登録画面４６０に入力された所定情報と対応付けられ、サーバ１に記憶されることとなる。
【０３０３】
そしてサーバ１のＣＰＵ２は、ごみステーション情報等が記憶部４に格納されるとステップ４７１５に戻り、再度、管理者端末１０にごみ収集日の週単位登録画面情報を通信部５から管理者端末１０に送信させる（ステップ４７１５）。以下ステップ５０１４まで同様な動作が繰り返され、管理者は必要な種々の所定情報に夫々収集エリアを選択し対応付けてサーバ１の記憶部４に格納させ登録できることとなる。
【０３０４】
ここで、収集エリアを全て所定情報に対応付けたときは、例えば管理者がステップ４７１７で管理者端末１０の入力部１６にごみ出しナビゲータに戻るボタン４７１の選択情報を入力することにより、ステップ４７０１に戻り、更にステップ４７０５で他の登録を選択してカレンダー用祝日登録等へと進むことができる。また、ごみ出しナビゲータ画面３０で更にトップページに戻るボタンを操作して管理者マスター登録一覧画面に戻り、ログアウトボタンを操作して全ての操作を終了させることもできる。
【０３０５】
以上で収集エリア選択によるごみ収集カレンダー登録についての説明を終了する。
【０３０６】
次に、利用者がごみ収集カレンダーを利用者端末に出力するまでの動作を説明する。
【０３０７】
図５２は、ごみ収集カレンダーを出力するまでのフローチャートである。
【０３０８】
まず利用者の操作により利用者端末２０は、Ｗｅｂブラウザ２７により通信部２４からネットワーク６を介してごみ収集カレンダー作成ソフトウエアを導入している自治体等のＷｅｂサイトにアクセスし、ごみ収集地域選択方法の選択画面５２０の選択情報をサーバ１に送信する（ステップ５２０１）。サーバ１のＣＰＵ２は、ごみ収集地域選択方法の選択画面選択情報を通信部５を介して受信する（ステップ５２０２）と、Ｗｅｂアプリケーション８に記憶部４に格納されたごみ収集カレンダー作成用画面データ３０６等からごみ収集地域選択方法の選択画面情報を読み出させ、通信部５から利用者端末２０へ送信させる（ステップ５２０３）。
【０３０９】
すると利用者端末２０のＣＰＵ２１は、サーバ１から送信されたごみ収集地域選択方法の選択画面情報を通信部２４を介して受信し、表示部２５に例えば図５３に示すようにごみ収集地域選択方法の選択画面５２０として出力させる（ステップ５２０４）。
【０３１０】
図５３は、ごみ収集地域選択方法の選択画面の例を示す図であり、ごみ収集地域選択方法の選択画面５２０は、ごみ収集地域選択方法を利用者に選択させるもので、地域名称選択ボタン５２１、ごみステーション選択ボタン５２２及び収集エリア選択ボタン５２３を有する。これにより、最も適切なごみ収集地域選択方法を選択でき、ごみ収集カレンダーの利用性を向上できる。
【０３１１】
ここで、利用者は例えば図５３のごみ収集地域選択方法の選択画面５２０で選択したい選択ボタンをクリック等の操作をして選択し、入力部２６により当該選択情報を入力する。
【０３１２】
このとき利用者端末２０のＣＰＵ２１は、入力情報がごみステーション選択方法の選択情報か否か判断する（ステップ５２０５）。そしてＣＰＵ２１が、選択情報がごみステーション選択方法の選択情報でないと判断したとき、例えば地域名称選択情報であると判断したとき（ステップ５２０６）、或は収集エリア選択情報であると判断したとき（ステップ５２０７）は、夫々の選択情報を通信部２４からサーバ１に送信する。例えば地域名称選択情報を送信したときは、サーバ１は表示地区選択画面情報を利用者端末２０に送信する（図３１のステップ３１０３）。以下は上述の他の実施形態と同様である。
【０３１３】
また、収集エリア選択情報を送信したときは、以下のごみステーション選択方法の選択情報の場合と略同様であり、その説明を省略する。
【０３１４】
これに対し、利用者端末２０のＣＰＵ２１は、選択情報がごみステーション選択方法の選択情報であると判断したときは、その選択情報をＷｅｂブラウザ２７により通信部２４からサーバ１に送信させる（ステップ５２０８）。
【０３１５】
そしてサーバ１のＣＰＵ２は、当該ごみステーション選択方法の選択情報を通信部５を介して受信する（ステップ５２０９）と、Ｗｅｂアプリケーション８に記憶部４に格納されたごみ収集カレンダー作成用画面データ３０６及び地図データ４０２、ごみステーションデータ４０３等を読み出させ、ごみステーション選択画面情報を作成させる。更にＣＰＵ２は、そのごみステーション選択画面情報を通信部５から管理者端末１０に送信させる（ステップ５２１０）。
【０３１６】
すると利用者端末２０のＣＰＵ２１は、サーバ１からごみステーション選択画面情報をＷｅｂブラウザ２７により通信部２４を介して受信し、ＣＰＵ２１はそのごみステーション選択画面情報を表示部２５に例えば図５４に示すようにごみステーション選択画面５３０として出力させる（ステップ５２１１）。
【０３１７】
図５４は、ごみステーション選択画面の例を示す図である。ごみステーション選択画面５３０は、既にごみステーションとしてサーバ１の記憶部４に格納されたごみステーションを地図上に表示すると共に、その中から所定のごみステーションを選択させるための画面である。尚、例えば図５４の地図の黒丸が登録されているごみステーション５３１である。
【０３１８】
また、ごみステーション選択画面５３０には所定の地図画面５３２と選択項目として地図画面上の対象領域を拡大させる拡大ボタン５３３、逆に縮小させる縮小ボタン５３４、対象領域を他へ移動させる移動ボタン５３５、ごみステーションを選択する選択ボタン５３６を有する。
【０３１９】
例えば利用者端末２０のＣＰＵ２１は、利用者が選択ボタン５３６を選択し、地図画面５３２上の予め登録されたごみステーション５３１のいずれかを、クリック等により選択されたとその入力情報により判断したときは、そのごみステーション選択情報をＷｅｂブラウザ２７により通信部２４からサーバ１に送信させる（ステップ５２１２）。
【０３２０】
そしてサーバ１のＣＰＵ２は、当該ごみステーション選択情報を通信部５を介して受信する（ステップ５２１３）と、Ｗｅｂアプリケーション８に記憶部４に格納されたごみ収集カレンダー作成用画面データ３０６から年月選択画面情報を読み出させ、通信部５から利用者端末２０に送信させる（ステップ５２１４）。
【０３２１】
次に利用者端末２０は、サーバ１から年月選択画面情報をＷｅｂブラウザ２７により通信部２４を介して受信し、ＣＰＵ２１はその年月選択画面情報を表示部２５に例えば図５５に示すように年月選択画面５４０として出力する（ステップ５２１５）。
【０３２２】
ここで図５５は、年月選択画面の例を示す図である。年月選択画面５４０は、ごみ収集カレンダーの年月を選択する画面で、例えば２００４年及び２００５年の夫々に設けられた１月から１２月までの月表示選択ボタン５４１，５４２を有する。
【０３２３】
利用者が、例えば２００５年の１月を選択し、２００５年１月の月表示選択ボタンを操作するとＣＰＵ２１は、Ｗｅｂブラウザ２７により通信部２４を介してサーバ１に当該２００５年１月の年月選択情報が送信される（ステップ５２１６）。
【０３２４】
そしてサーバ１のＣＰＵ２は、当該年月選択情報を通信部５を介して受信する（ステップ５２１７）と、Ｗｅｂアプリケーション８に当該ごみステーション選択情報及び年月選択情報に対応する記憶部４に格納されたごみ種別名称データ３０１、地区名称データ３０２、祝日データ３０４、ごみ収集日（年月の週・曜日）データ３０５、ごみ収集カレンダー作成用画面データ３０６、ごみ収集カレンダーのテンプレート３０７、地図データ４０２及びごみステーションデータ４０３等を読み出させ、夫々の対応付け（関連付け）により、選択されたごみステーションの選択された２００５年１月の月表示のごみ収集カレンダー画面情報を合成する（ステップ５２１８）。そして、ＣＰＵ２は合成された２００５年１月の月表示のごみ収集カレンダー画面情報を通信部５を介して利用者端末２０に送信する（ステップ５２１９）。
【０３２５】
利用者端末２０のＣＰＵ２１は、サーバ１からごみ収集カレンダー画面情報をＷｅｂブラウザ２７により通信部２４を介して受信し、ＣＰＵ２１はそのごみ収集カレンダー画面情報を表示部２５に例えば図５６に示すように月表示のごみ収集カレンダー画面５５０として出力する（ステップ５２２０）。
【０３２６】
ここで図５６は、月表示のごみ収集カレンダー画面の例を示す図である。月表示のごみ収集カレンダー画面５５０は、１月の月表示のごみ収集カレンダーを表示したものである。また、月表示のごみ収集カレンダー画面５５０はごみ収集地域選択方法の選択画面に戻るボタン５５１を有する。
【０３２７】
次に利用者端末２０のＣＰＵ２１は、利用者が選択画面に戻るボタン５５１を操作し、その操作情報が入力部２６に入力されたか判断する（ステップ５２２１）。ＣＰＵ２１は、選択画面に戻るボタン５５１が操作され入力されたと判断したときは、ステップ５２０１に戻る。
【０３２８】
また、ＣＰＵ２１は、選択画面に戻るボタン５５１が操作されず入力されなかったと判断したときは、ごみ収集カレンダーの利用者端末による出力動作は終了する。
【０３２９】
以上で、利用者がごみ収集カレンダーを利用者端末に出力するまでの動作の説明を終了する。
【０３３０】
尚、例えば図５０のステップ４７１１で管理者端末１０のＣＰＵ１１が、ごみ収集カレンダー登録画面１６０で管理者が週単位確認画面へ１６４を選択し入力したと判断したとき（ステップ４７１２）は、その選択情報がＷｅｂブラウザ１７により通信部１４を介してサーバ１に送信される。
【０３３１】
そしてサーバ１のＣＰＵ２は、当該週単位確認画面への選択情報を通信部５を介して受信すると、Ｗｅｂアプリケーション８に記憶部４に格納されたごみ収集カレンダー作成用画面データ３０６等からごみ収集カレンダー週単位確認画面情報を読み出させ、通信部５から管理者端末１０に送信させる。
【０３３２】
すると管理者端末１０のＣＰＵ１１は、サーバ１からごみ収集カレンダー週単位確認画面情報をＷｅｂブラウザ１７により通信部１４を介して受信し、ＣＰＵ１１はそのごみ収集カレンダー週単位確認画面情報を表示部１５に例えば図５７に示すようにごみ収集カレンダー週単位確認画面５６０として出力させる。
【０３３３】
図５７は、ごみ収集カレンダー週単位確認画面の例を示す図である。ごみ収集カレンダー週単位確認画面５６０は、ごみ収集カレンダー情報作成用のデータを入力した後に、週単位でそのデータを確認させるために検索の年月週等の条件を入力する画面である。ここで、ごみ収集カレンダー週単位確認画面５６０には、入力フォームとして、ごみ種別を入力するごみ種別入力ボックス５６１、検索年を入力する検索年入力ボックス５６２、検索月を入力する検索月入力ボックス５６３及び検索週を入力する検索週入力ボックス５６４を有する。また、ごみ収集カレンダー週単位確認画面５６０は、検索を実行させる検索ボタン５６５、画面を初期状態に戻すリセットボタン５６６及びごみ収集カレンダー登録画面１６０に戻るごみ収集カレンダートップボタン５６７を有する。
【０３３４】
例えば管理者端末１０のＣＰＵ１１は、管理者が上記入力ボックスに所定情報を入力して検索ボタン５６５を操作すると、その所定情報と検索ボタン選択情報とをＷｅｂブラウザ１７により通信部１４を介してサーバ１に送信させる。そしてサーバ１のＣＰＵ２は、当該所定情報と検索ボタン選択情報とを通信部５を介して受信すると、Ｗｅｂアプリケーション８に記憶部４に格納された当該所定情報と検索ボタン選択情報とに該当するごみ種別名称データ３０１や地区名称データ３０２を検索し、ごみ収集カレンダー作成用画面データ３０６等から週単位確認検索結果画面情報を作成させる。
【０３３５】
そしてＣＰＵ２は、当該週単位確認検索結果画面情報を通信部５を介して管理者端末１０に送信させる。
【０３３６】
すると管理者端末１０のＣＰＵ１１は、サーバ１から週単位確認検索結果画面情報をＷｅｂブラウザ１７により通信部１４を介して受信し、ＣＰＵ１１はその週単位確認検索結果画面情報を表示部１５に例えば図５８に示すように週単位確認検索結果画面５７０として出力させる。
【０３３７】
図５８は、週単位確認検索結果画面の例を示す図である。週単位確認検索結果画面５７０は、ごみ収集カレンダー情報作成用のデータを入力した後に週単位でそのデータを確認させるための画面である。ここで、週単位確認検索結果画面５７０には、ごみ種別及び検索された年月週が表示されると共に日曜日から土曜日までの日と曜日、そしてその曜日に指定されたごみ種別のごみが収集される収集地区名称が表示される。
【０３３８】
また週単位確認検索結果画面５７０には、選択ボタンとして前の週の検索結果を表示させる前の週ボタン５７１、次の週の検索結果を表示させる次の週ボタン５７２及びごみ収集カレンダー週単位確認画面に戻るボタン５７３を有する。
【０３３９】
これにより、管理者はサーバ１の記憶部４に格納された各種データをいつでも確認でき、修正が必要なときは直ちにごみ収集カレンダー登録画面１６０に戻り、その画面から例えば週単位削除画面で削除し、週単位登録画面で登録し直すこともできる。従って、常に正確なデータでごみ収集カレンダー情報を作成でき、当該ごみ収集カレンダー情報で作成されるごみ収集カレンダーの信頼性をより向上できる。
【０３４０】
このように本実施形態によれば、サーバ１によってごみ種別情報、ごみ収集可能な月の週情報及び曜日情報の各情報を夫々対応付けて選択可能な第１の編集情報として管理者端末１０に出力させることとした。従って、管理者端末１０のディスプレー画面に第１の編集情報、例えばごみ収集日の週単位登録画面４６０を表示させてその画面上で選択して、夫々関連付けられた第１の選択情報をネットワーク６によりサーバ１へ送信することができる。
【０３４１】
また、その第１の選択情報に対応付けて第２の選択情報をサーバ１の記憶部４に格納させるために当該サーバ１に送信することとした。従って、選択されたごみ種別情報、収集可能な月の週情報及曜日情報及びごみ収集地域情報が夫々別々のデータとしてサーバ１の記憶部４に格納されていても、例えば所定のごみ収集地域情報を入力すれば、容易に対応付けられたごみ種別情報等の情報を得ることができる。
【０３４２】
また、基礎情報は、地理情報システムの地図情報を有し、ごみ収集地域情報は、ごみ収集地域の少なくとも一部のごみが集められるごみステーションの情報を地図情報の地図の所定の位置に対応付けた情報であることとしたので、例えばごみ収集地域情報をディスプレー画面上に出力すれば、地図上の道路情報等から容易に所望のごみステーションを探し出すことができ、ごみ収集カレンダー情報の作成のみならず、利用者の便宜もより向上する。
【０３４３】
また、行政地域名称では特定できない細かいごみ収集地域情報等も地図上で容易に特定が可能であり、ごみ収集カレンダーの実用性が向上する。更にＧＩＳを利用して様様な情報をごみ収集地域情報に組み合わせることができ、ごみ収集カレンダーの機能をより向上できる。
【０３４４】
更にごみステーションの情報は、ごみステーションごとの個別情報を有することとしたので、ごみ収集カレンダー情報を作成するためだけでなく、例えばごみ収集時に役に立つ情報をごみ収集地域情報に含ませることができ、その機能性が増す。例えば収集の順番やごみステーションが特別な場所にあるとか、更にはカラスよけのネットが設けてある等である。
【０３４５】
更に個別情報は、ごみステーションの利用者情報を有することとしたので、更にごみ収集カレンダー情報の作製を容易にすることができる他、当該情報の機能性をも向上できる。例えば利用者情報として利用者の人数や年齢等の情報をごみステーション情報に含ませればそのごみステーションのおおよそのごみ収集量が判断でき、ごみ収集ルートの検討の効率化やごみ収集カレンダー情報の正確性及び最適性をより向上できる。
【０３４６】
また、基礎情報は、地理情報システムの地図情報を有し、ごみ収集地域情報は、所定の領域をもつ収集地域の情報を地図情報の地図の所定の位置に対応付けた情報であることとした。従って例えばごみ収集地域情報をディスプレー画面上に出力すれば、地図上の道路情報等から容易に所望の収集地域を探し出すことができ、ごみ収集カレンダー情報の作成のみならず、利用者の便宜もより向上する。また、行政地域名称では特定できない細かいごみ収集地域情報等も地図上で容易に特定が可能であり、ごみ収集カレンダーの実用性が向上する。更に地図情報に例えば人口情報も含ませれば、当該地図上で所定の領域を特定することで、容易にその領域の全人口が割り出される。これにより、例えば収集エリア登録画面４４０で新規収集エリアを地図画面４４２上で描画するだけで、そのエリア内の人口が算出されるので、ごみ収集地域の平均ごみ収集量が容易に判明し、全ごみ収集量が許容値内かの判断が極めて容易となる。
【０３４７】
更に収集地域の情報は、収集地域ごとの個別情報を有することとしたので、ごみ収集カレンダー情報を高機能化することができる。
【０３４８】
以上、好ましい実施形態を挙げて本発明を説明したが、本発明は上述したいずれの実施形態にも限定されず、本発明の技術思想の範囲内で適宜変更し或は上述した各実施形態を組み合わせて実施できるものである。
【０３４９】
例えば、上述の実施形態では、サーバ１と管理者端末１０を分けて説明したが管理者端末１０がサーバ１を兼ねてもよいし、管理者端末を複数設けてもよい。これより、よりごみ収集カレンダー情報作成システムの高機能化、カスタマイズ化が図れる。
【０３５０】
また、上述の実施形態では、図５４をごみステーション選択画面５３０として説明したが、当該画面をごみステーション選択と収集エリア選択とを兼ねた画面としてもよい。その場合、例えば地図画面５３２上の黒丸以外の所定の位置をクリックした情報がサーバ１に送信されると、ＣＰＵ２は、当該地図情報のレイヤー上の収集エリア情報のレイヤーでの選択とし、収集エリア選択方法による選択情報と判断する。以下は、ごみステーション選択の場合と略同様である。更にこの場合、ごみ収集地域選択方法の選択画面５２０では、例えば地域名称選択ボタンとＧＩＳによる選択ボタンとの二つとなる。
【図面の簡単な説明】
【０３５１】
【図１】本発明の一実施形態に係るごみ収集カレンダー作成システムの構成を示す図である。
【図２】ごみ収集カレンダーの作成手順を示すフローチャートである。
【図３】ごみ出しナビゲータの画面の例を示す図である。
【図４】ごみ種別マスター登録画面の例を示す図である。
【図５】ごみ種別マスター新規登録画面の例を示す図である。
【図６】ごみ種別の新規登録内容の確認画面の例を示す図である。
【図７】ごみ種別の新規登録終了画面の例を示す図である。
【図８】ごみ種別マスター更新画面の例を示す図である。
【図９】地域登録画面の例を示す図である。
【図１０】地域新規登録画面の例を示す図である。
【図１１】地域更新画面の例を示す図である。
【図１２】グループ登録画面の例を示す図である。
【図１３】グループ新規登録画面の例を示す図である。
【図１４】カレンダー用祝日登録画面の例を示す図である。
【図１５】カレンダー用祝日新規登録画面の例を示す図である。
【図１６】ごみ収集カレンダー登録画面の例を示す図である。
【図１７】ごみ収集日の週単位登録画面の例を示す図である。
【図１８】図１７のごみ収集日の週単位登録画面から呼び出される地域選択画面の例を示す図である。
【図１９】ごみ収集日と地域の登録内容確認画面の例を示す図である。
【図２０】ごみ収集日の週単位削除画面の例を示す図である。
【図２１】地域削除画面の例を示す図である。
【図２２】ごみ収集日の登録削除内容確認画面の例を示す図である。
【図２３】ごみ収集日の日単位登録・削除画面の例を示す図である。
【図２４】ごみ収集日の日単位登録画面の例を示す図である。
【図２５】ごみ出しカレンダー入力画面の例を示す図である。
【図２６】削除確認用のごみ出しカレンダー入力画面の例を示す図である。
【図２７】ごみ収集カレンダーの例を示す図である。
【図２８】収集量上限オーバーチェック画面の例を示す図である。
【図２９】全地域のごみ収集日の割り当ての妥当性を検証する動作の手順を示すフローチャートである。
【図３０】他の実施形態に係るサーバの記憶部に格納されたデータの説明図である。
【図３１】ごみ収集カレンダーを出力するまでのフローチャートである。
【図３２】表示地区選択画面の例を示す図である。
【図３３】表示形式選択画面の例を示す図である。
【図３４】年間表示のごみ収集カレンダー画面の例を示す図である。
【図３５】月表示のごみ収集カレンダー画面の例を示す図である。
【図３６】週表示のごみ収集カレンダー画面の例を示す図である。
【図３７】別の実施形態に係るサーバの記憶部に格納されたデータの説明図である。
【図３８】ごみ種別登録に関するフローチャートである。
【図３９】ごみステーション登録による地域登録のフローチャートである。
【図４０】地域登録方法の選択画面の例を示す図である。
【図４１】ごみステーション登録画面の例を示す図である。
【図４２】新規ごみステーション登録画面の例を示す図である。
【図４３】収集エリア登録による地域登録のフローチャートである。
【図４４】収集エリア登録画面の例を示す図である。
【図４５】新規収集エリア登録画面の例を示す図である。
【図４６】地域名称登録による地域登録のフローチャートである。
【図４７】ごみステーション選択によるごみ収集カレンダー登録のフローチャートである。
【図４８】ごみ収集日の週単位登録画面の例を示す図である。
【図４９】ごみステーション選択画面の例を示す図である。
【図５０】収集エリア登録による地域登録のフローチャートである。
【図５１】収集エリア選択画面の例を示す図である。
【図５２】ごみ収集カレンダーを出力するまでのフローチャートである。
【図５３】ごみ収集地域選択方法の選択画面の例を示す図である。
【図５４】ごみステーション選択画面の例を示す図である。
【図５５】年月選択画面の例を示す図である。
【図５６】月表示のごみ収集カレンダー画面の例を示す図である。
【図５７】ごみ収集カレンダー週単位確認画面の例を示す図である。
【図５８】週単位確認検索結果画面の例を示す図である。
【符号の説明】
【０３５２】
１      サーバ
２      ＣＰＵ
３      メモリ
４      記憶部
５      通信部
６      ネットワーク
７      Ｗｅｂサーバプログラム
８      Ｗｅｂアプリケーションサーバプログラム
９      データ
１０      管理者端末
１１      ＣＰＵ
１２      メモリ
１３      記憶部
１４      通信部
１５      表示部
１６      入力部
１７      Ｗｅｂブラウザ
２０      利用者端末
２１      ＣＰＵ
２２      メモリ
２３      記憶部
２４      通信部
２５      表示部
２６      入力部
２７      Ｗｅｂブラウザ
【図１】
2006178940.tif 000003
【図２】
2006178940.tif 000004
【図３】
2006178940.tif 000005
【図４】
2006178940.tif 000006
【図５】
2006178940.tif 000007
【図６】
2006178940.tif 000008
【図７】
2006178940.tif 000009
【図８】
2006178940.tif 000010
【図９】
2006178940.tif 000011
【図１０】
2006178940.tif 000012
【図１１】
2006178940.tif 000013
【図１２】
2006178940.tif 000014
【図１３】
2006178940.tif 000015
【図１４】
2006178940.tif 000016
【図１５】
2006178940.tif 000017
【図１６】
2006178940.tif 000018
【図１７】
2006178940.tif 000019
【図１８】
2006178940.tif 000020
【図１９】
2006178940.tif 000021
【図２０】
2006178940.tif 000022
【図２１】
2006178940.tif 000023
【図２２】
2006178940.tif 000024
【図２３】
2006178940.tif 000025
【図２４】
2006178940.tif 000026
【図２５】
2006178940.tif 000027
【図２６】
2006178940.tif 000028
【図２７】
2006178940.tif 000029
【図２８】
2006178940.tif 000030
【図２９】
2006178940.tif 000031
【図３０】
2006178940.tif 000032
【図３１】
2006178940.tif 000033
【図３２】
2006178940.tif 000034
【図３３】
2006178940.tif 000035
【図３４】
2006178940.tif 000036
【図３５】
2006178940.tif 000037
【図３６】
2006178940.tif 000038
【図３７】
2006178940.tif 000039
【図３８】
2006178940.tif 000040
【図３９】
2006178940.tif 000041
【図４０】
2006178940.tif 000042
【図４３】
2006178940.tif 000043
【図４６】
2006178940.tif 000044
【図４７】
2006178940.tif 000045
【図４８】
2006178940.tif 000046
【図５０】
2006178940.tif 000047
【図５２】
2006178940.tif 000048
【図５３】
2006178940.tif 000049
【図５５】
2006178940.tif 000050
【図５６】
2006178940.tif 000051
【図５７】
2006178940.tif 000052
【図５８】
2006178940.tif 000053
【図４１】
2006178940.tif 000054
【図４２】
2006178940.tif 000055
【図４４】
2006178940.tif 000056
【図４５】
2006178940.tif 000057
【図４９】
2006178940.tif 000058
【図５１】
2006178940.tif 000059
【図５４】
2006178940.tif 000060